(57)【要約】【課題】同一の又は近い周波数帯域を利用する送信機及び受信機がある場合であっても、当該受信機を介してより望ましい無線通信を行うことを可能にする。【解決手段】時分割複信（ＴＤＤ）方式に従った無線通信を制御する通信制御装置であって、複数のサブフレームを含む無線フレームにおけるサブフレーム単位でのリンク方向を表すリンク方向コンフィギュレーションの複数の候補のうちの、上記無線通信のためのリンク方向コンフィギュレーションを選択する選択部と、選択される上記リンク方向コンフィギュレーションを上記無線通信に適用する適用部と、を備える通信制御装置が提供される。上記複数の候補は、ダウンリンク専用のリンク方向コンフィギュレーション、及びアップリンク専用のリンク方向コンフィギュレーションのうちの、少なくとも一方を含む。【選択図】図６
2014136333.tif 000002
【特許請求の範囲】
【請求項１】
時分割複信（ＴＤＤ）方式に従った無線通信を制御する通信制御装置であって、
複数のサブフレームを含む無線フレームにおけるサブフレーム単位でのリンク方向を表すリンク方向コンフィギュレーションの複数の候補のうちの、前記無線通信のためのリンク方向コンフィギュレーションを選択する選択部と、
選択される前記リンク方向コンフィギュレーションを前記無線通信に適用する適用部と、
を備え、
前記複数の候補は、ダウンリンク専用のリンク方向コンフィギュレーション、及びアップリンク専用のリンク方向コンフィギュレーションのうちの、少なくとも一方を含む、
通信制御装置。
【請求項２】
前記複数の候補は、前記ダウンリンク専用のリンク方向コンフィギュレーションを含む、請求項１に記載の通信制御装置。
【請求項３】
前記複数の候補は、前記アップリンク専用のリンク方向コンフィギュレーションを含む、請求項１に記載の通信制御装置。
【請求項４】
前記アップリンク専用のリンク方向コンフィギュレーションは、前記複数のサブフレームのうちの最初のサブフレームの一部又は全体でアップリンク送信が行われないリンク方向コンフィギュレーションを含む、請求項３に記載の通信制御装置。
【請求項５】
前記選択部は、前記無線通信が２つ以上の周波数チャネルにおいて行われる場合に、当該２つ以上の周波数チャネルに含まれる個々の周波数チャネルごとに、前記複数の候補のうちの、前記個々の周波数チャネルにおける無線通信のためのリンク方向コンフィギュレーションを選択し、
前記適用部は、前記個々の周波数チャネルごとに選択される前記リンク方向コンフィギュレーションを、当該個々の周波数チャネルにおける無線通信に適用する、
請求項１に記載の通信制御装置。
【請求項６】
前記選択部は、前記複数の候補のうちの１つ以上の選択可能な候補の中から、前記個々の周波数チャネルにおける無線通信のためのリンク方向コンフィギュレーションを選択し、
前記１つ以上の選択可能な候補は、干渉信号が送信される干渉周波数チャネルと前記個々の周波数チャネルとの周波数方向の距離に関する情報に基づいて決定される、
請求項５に記載の通信制御装置。
【請求項７】
前記１つ以上の選択可能な候補は、前記無線通信に要求されるサービス品質に関する情報にさらに基づいて決定される、請求項６に記載の通信制御装置。
【請求項８】
前記１つ以上の選択可能な候補は、前記干渉周波数チャネルと前記個々の周波数チャネルとの前記距離が第１の距離よりも小さい場合に、前記ダウンリンク専用のリンク方向コンフィギュレーションである、請求項６に記載の通信制御装置。
【請求項９】
前記１つ以上の選択可能な候補は、前記干渉周波数チャネルと前記個々の周波数チャネルとの前記距離が第２の距離よりも大きい場合に、前記アップリンク専用のリンク方向コンフィギュレーションを含む、請求項６に記載の通信制御装置。
【請求項１０】
前記１つ以上の選択可能な候補は、前記干渉周波数チャネルと前記個々の周波数チャネルとの前記距離がより大きい場合に、アップリンクサブフレームの数がより大きいリンク方向コンフィギュレーションを含む、請求項６に記載の通信制御装置。
【請求項１１】
前記２つ以上の周波数チャネルは、干渉信号が送信される干渉周波数チャネルにより近い第１の周波数チャネルと、前記干渉周波数チャネルからより離れた第２の周波数チャネルとを含み、
前記選択部は、前記第１の周波数チャネルにおける無線通信のためのリンク方向コンフィギュレーションとして、ダウンリンクサブフレームの数が第１の数である第１のリンク方向コンフィギュレーションを選択し、前記第２の周波数チャネルにおける無線通信のためのリンク方向コンフィギュレーションとして、ダウンリンクサブフレームの数が前記第１の数よりも小さい第２の数である第２のリンク方向コンフィギュレーションを選択する、
請求項５に記載の通信制御装置。
【請求項１２】
前記選択部は、干渉信号が送信される干渉周波数チャネルと前記個々の周波数チャネルとの周波数方向の距離が第３の距離よりも小さい場合に、当該個々の周波数チャネルにおける無線通信のためのリンク方向コンフィギュレーションとして、前記ダウンリンク専用のリンク方向コンフィギュレーションを選択する、請求項５に記載の通信制御装置。
【請求項１３】
前記無線通信は、１つ以上の周波数チャネルにおいて行われ、
前記１つ以上の周波数チャネルは、干渉信号が送信される干渉周波数チャネルから周波数方向において第４の距離以上離れた周波数チャネルを含む、
請求項１に記載の通信制御装置。
【請求項１４】
前記選択部は、前記無線通信が所定の種類の無線通信である場合に、アップリンクサブフレームの数が所定の数よりも大きいリンク方向コンフィギュレーションを、前記干渉周波数チャネルから前記第４の距離以上離れた前記周波数チャネルのためのリンク方向コンフィギュレーションとして選択する、
請求項１３に記載の通信制御装置。
【請求項１５】
前記所定の種類の無線通信は、機器間（Ｍａｃｈｉｎｅ  ｔｏ  Ｍａｃｈｉｎｅ）通信である、請求項１４に記載の通信制御装置。
【請求項１６】
前記無線通信は、プライマリシステムのための周波数チャネルを二次的に利用するセカンダリシステムの無線通信であり、
前記干渉周波数チャネルは、前記セカンダリシステムと異なる別の無線通信システムにおいて用いられる周波数チャネルである、
請求項６に記載の通信制御装置。
【請求項１７】
前記無線通信は、マクロセルと一部又は全体で重なるスモールセルにおける無線通信であり、
前記干渉周波数チャネルは、前記マクロセルにおいて用いられる周波数チャネルである、
請求項６記載の通信制御装置。
【請求項１８】
時分割複信（ＴＤＤ）方式に従った無線通信を制御する通信制御方法であって、
複数のサブフレームを含む無線フレームにおけるサブフレーム単位でのリンク方向を表すリンク方向コンフィギュレーションの複数の候補のうちの、前記無線通信のためのリンク方向コンフィギュレーションを選択することと、
選択される前記リンク方向コンフィギュレーションを前記無線通信に適用することと、
を含み、
前記複数の候補は、ダウンリンク専用のリンク方向コンフィギュレーション、及びアップリンク専用のリンク方向コンフィギュレーションのうちの、少なくとも一方を含む、
通信制御方法。
【請求項１９】
時分割複信（ＴＤＤ）方式に従った無線通信が行われる周波数チャネルを認識する認識部と、
前記無線通信が２つ以上の周波数チャネルにおいて行われる場合に、当該２つ以上の周波数チャネルに含まれる個々の周波数チャネルごとに、干渉信号が送信される干渉周波数チャネルと当該個々の周波数チャネルとの周波数方向の距離に関する情報に基づいて、複数のサブフレームを含む無線フレームにおけるサブフレーム単位でのリンク方向を表すリンク方向コンフィギュレーションの複数の候補のうちの、前記個々の周波数チャネルにおける無線通信に適用するために選択可能な１つ以上の候補を決定する決定部と、
を備え、
前記複数の候補は、ダウンリンク専用のリンク方向コンフィギュレーション、及びアップリンク専用のリンク方向コンフィギュレーションのうちの、少なくとも一方を含む、
通信制御装置。
【請求項２０】
時分割複信（ＴＤＤ）方式に従った無線通信を制御する通信装置であって、
複数のサブフレームを含む無線フレームにおけるサブフレーム単位でのリンク方向を表すリンク方向コンフィギュレーションの複数の候補のうちの、前記無線通信に適用されるリンク方向コンフィギュレーションを認識する認識部と、
認識される前記リンク方向コンフィギュレーションに従って前記無線通信を制御する通信制御部と、
を備え、
前記複数の候補は、ダウンリンク専用のリンク方向コンフィギュレーション、及びアップリンク専用のリンク方向コンフィギュレーションのうちの、少なくとも一方を含む、
通信装置。
【発明の詳細な説明】
【技術分野】
【０００１】
本開示は、通信制御装置、通信制御方法及び通信装置に関する。
【背景技術】
【０００２】
近年の無線通信環境は、データトラフィックの急増を原因として、周波数リソースの枯渇化という問題に直面している。そこで、特定の事業者に利用許可が与えられたものの活用されていない周波数帯域を二次的な通信のために開放するための枠組みについて、活発な議論が交わされている。こうした二次的な通信のための枠組みを、ＬＳＡ（Licensed  Shared  Access）ともいう。例えば、ＣＥＰＴ（European  Conference  of  Postal  and  Telecommunications  Administrations）は、下記非特許文献１において、テレビジョン放送のために活用されていないいわゆる「ＴＶホワイトスペース」を二次的に利用する装置（ＷＳＤ：White  Space  Devices）のための技術的な要件について提言を行っている。【０００３】
一般的に、周波数帯域を二次的に利用する送信機の送信電力は、プライマリシステム（Primary  System）の受信機に有害な干渉を与えないように制限される。例えば、下記非特許文献１は、ＷＳＤの送信電力を適切に制御するために、プライマリシステムであるＤＴＴ（Digital  Terrestrial  Television）システムのカバレッジ、ＤＴＴ受信機の位置、及び許容干渉レベルなどの情報を提供する地理位置データベース（ＧＬＤＢ：Geo-Location  Database）を配備することを提案している。通常、周波数帯域の利用許可は国（又は地域）ごとに与えられるため、ＧＬＤＢもまた国（又は地域）ごとに配備されるであろう。【０００４】
下記非特許文献３は、ＧＬＤＢから提供される情報を使用し、より高度な計算を通じてセカンダリシステム（Secondary  System）のシステムキャパシティを最大化するための発展型地理位置エンジン（ＡＧＬＥ：Advanced  Geo-Location  Engine）を例えば国又はサードパーティが設置することを提案している。ＡＧＬＥを設置するというアプローチは、英国の周波数管理主体であるＯｆＣｏｍ（Office  of  Communications）及びサードパーティのデータベースプロバイダにより採用されることが決まっている。【０００５】
また、下記非特許文献４では、周波数帯域を二次的に利用する装置間の共存技術について議論されている。
【先行技術文献】
【非特許文献】
【０００６】
【非特許文献１】ＥＣＣ（Electronic  Communications  Committee）,  “TECHNICAL  AND  OPERATIONAL  REQUIREMENTS  FOR  THE  POSSIBLE  OPERATION  OF  COGNITIVE  RADIO  SYSTEMS  IN  THE  ‘WHITE  SPACES’  OF  THE  FREQUENCY  BAND  470-790  MHz”，ECC  REPORT  159,  January  2011
【非特許文献２】ＥＣＣ（Electronic  Communications  Committee）,  “Complementary  Report  to  ECC  Report  159;  Further  definition  of  technical  and  operational  requirements  for  the  operation  of  white  space  devices  in  the  band  470-790  MHz”，ECC  REPORT  185,  September  2012
【非特許文献３】Naotaka  Sato（Sony  Corporation），“TV  WHITE  SPACE  AS  PART  OF  THE  FUTURE  SPECTRUM  LANDSCAPE  FOR  WIRELESS  COMMUNICATIONS”，  ETSI  Workshop  on  Reconfigurable  Radio  Systems，December  12  2012,  Cannes  (France)
【非特許文献４】Draft  ETSI  TS  102  946,  Reconfigurable  Radio  Systems  (RRS);  System  requirements  for  Operation  in  UHF  TV  Band  White  Spaces
【発明の概要】
【発明が解決しようとする課題】
【０００７】
しかし、プライマリシステムのための周波数帯域を二次的に利用するセカンダリシステムの無線通信に対してプライマリシステムの無線通信が与える影響については、具体的に考慮されていない。即ち、セカンダリシステムの受信機に対してプライマリシステムの送信機の送信電力が与える影響については、具体的に考慮されていない。そのため、プライマリシステムについての送信電力がセカンダリシステムの無線通信に大きな影響を与え得る。結果として、セカンダリシステムにおけるスループットが低下することが懸念される。また、ＴＶホワイトスペースについてのセカンダリシステムのみならず、例えば、移動体通信システムにおいて、マクロセルに一部又は全体で重なるスモールセルが配置される場合にも、同様の問題が生じ得る。【０００８】
そこで、同一の又は近い周波数帯域を利用する送信機及び受信機がある場合であっても、当該受信機を介してより望ましい無線通信を行うことを可能にする仕組みが提供されることが望ましい。
【課題を解決するための手段】
【０００９】
本開示によれば、時分割複信（ＴＤＤ）方式に従った無線通信を制御する通信制御装置であって、複数のサブフレームを含む無線フレームにおけるサブフレーム単位でのリンク方向を表すリンク方向コンフィギュレーションの複数の候補のうちの、上記無線通信のためのリンク方向コンフィギュレーションを選択する選択部と、選択される上記リンク方向コンフィギュレーションを上記無線通信に適用する適用部と、を備える通信制御装置が提供される。上記複数の候補は、ダウンリンク専用のリンク方向コンフィギュレーション、及びアップリンク専用のリンク方向コンフィギュレーションのうちの、少なくとも一方を含む。【００１０】
また、本開示によれば、時分割複信（ＴＤＤ）方式に従った無線通信を制御する通信制御方法であって、複数のサブフレームを含む無線フレームにおけるサブフレーム単位でのリンク方向を表すリンク方向コンフィギュレーションの複数の候補のうちの、上記無線通信のためのリンク方向コンフィギュレーションを選択することと、選択される上記リンク方向コンフィギュレーションを上記無線通信に適用することと、を含む通信制御方法が提供される。上記複数の候補は、ダウンリンク専用のリンク方向コンフィギュレーション、及びアップリンク専用のリンク方向コンフィギュレーションのうちの、少なくとも一方を含む。【００１１】
また、本開示によれば、時分割複信（ＴＤＤ）方式に従った無線通信が行われる周波数チャネルを認識する認識部と、上記無線通信が２つ以上の周波数チャネルにおいて行われる場合に、当該２つ以上の周波数チャネルに含まれる個々の周波数チャネルごとに、干渉信号が送信される干渉周波数チャネルと当該個々の周波数チャネルとの周波数方向の距離に関する情報に基づいて、複数のサブフレームを含む無線フレームにおけるサブフレーム単位でのリンク方向を表すリンク方向コンフィギュレーションの複数の候補のうちの、上記個々の周波数チャネルにおける無線通信に適用するために選択可能な１つ以上の候補を決定する決定部と、を備える通信制御装置が提供される。上記複数の候補は、ダウンリンク専用のリンク方向コンフィギュレーション、及びアップリンク専用のリンク方向コンフィギュレーションのうちの、少なくとも一方を含む。【００１２】
また、本開示によれば、時分割複信（ＴＤＤ）方式に従った無線通信を制御する通信装置であって、複数のサブフレームを含む無線フレームにおけるサブフレーム単位でのリンク方向を表すリンク方向コンフィギュレーションの複数の候補のうちの、上記無線通信に適用されるリンク方向コンフィギュレーションを認識する認識部と、認識される上記リンク方向コンフィギュレーションに従って上記無線通信を制御する通信制御部と、を備える通信装置が提供される。上記複数の候補は、ダウンリンク専用のリンク方向コンフィギュレーション、及びアップリンク専用のリンク方向コンフィギュレーションのうちの、少なくとも一方を含む、
【発明の効果】
【００１３】
以上説明したように本開示によれば、同一の又は近い周波数帯域を利用する送信機及び受信機がある場合であっても、当該受信機を介してより望ましい無線通信を行うことが可能となる。
【図面の簡単な説明】
【００１４】
【図１】ＴＤＤコンフィギュレーションの具体例を説明するための説明図である。
【図２】プライマリシステムについての送信電力がセカンダリシステムのアップリンクに与える影響の例を説明するための説明図である。
【図３】プライマリシステムについての送信電力がセカンダリシステムのダウンリンクに与える影響の例を説明するための説明図である。
【図４】ＷＳＤのアップリンクのＳＩＮＲとダウンリンクのＳＩＮＲとの比較結果の例を説明するための説明図である。
【図５】プライマリシステムの周波数チャネルから、セカンダリシステムで利用される各周波数チャネルへの干渉の例を説明するための説明図である。
【図６】ダウンリンク専用のＴＤＤコンフィギュレーションを説明するための説明図である。
【図７】アップリンク専用のＴＤＤコンフィギュレーションを説明するための説明図である。
【図８】本開示の一実施形態に係る通信システムの概略的な構成の一例を示す説明図である。
【図９】一実施形態に係るＡＧＬＥの構成の一例を示すブロック図である。
【図１０】セカンダリシステムのための利用可能チャネルの例を説明するための説明図である。
【図１１】選択可能候補の情報が追加された利用可能チャネル関連情報の例を説明するための説明図である。
【図１２】一実施形態に係るマスタＷＢＳの構成の一例を示すブロック図である。
【図１３】一実施形態に係るスレーブＷＳＤの構成の一例を示すブロック図である。
【図１４】一実施形態に係る通信制御処理の概略的な流れの一例を示すシーケンス図である。
【図１５】一実施形態の第１の変形例に係る通信制御処理の概略的な流れの一例を示すシーケンス図である。
【図１６】一実施形態の第２の変形例に係る通信制御処理の概略的な流れの一例を示すシーケンス図である。
【図１７】第３の実施形態の前提となる各装置の配置の一例を説明するための説明図である。
【図１８Ａ】一実施形態の第３の変形例に係る通信制御処理の概略的な流れの一例を示す第１のシーケンス図である。
【図１８Ｂ】一実施形態の第３の変形例に係る通信制御処理の概略的な流れの一例を示す第２のシーケンス図である。
【図１９】ＣＲＭの配置の別の例を説明するための説明図である。
【図２０】ＣＲＭの配置のさらに別の例を説明するための説明図である。
【図２１】本開示に係る技術が適用され得るサーバの概略的な構成の一例を示すブロック図である。
【図２２】本開示に係る技術が適用され得るｅＮＢの概略的な構成の第１の例を示すブロック図である。
【図２３】本開示に係る技術が適用され得るｅＮＢの概略的な構成の第２の例を示すブロック図である。
【図２４】本開示に係る技術が適用され得るスマートフォンの概略的な構成の一例を示すブロック図である。
【図２５】本開示に係る技術が適用され得るカーナビゲーション装置の概略的な構成の一例を示すブロック図である。
【発明を実施するための形態】
【００１５】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．はじめに
１．１．複信方式に関する動向
１．２．技術的課題
１．３．本実施形態に係る新たな手法
２．本実施形態に係る通信システムの概略的な構成
３．各装置の構成
３．１．ＡＧＬＥの構成
３．２．マスタＷＳＤの構成
３．３．スレーブＷＳＤの構成
４．処理の流れ
５．変形例
５．１．第１の変形例
５．２．第２の変形例
５．３．第３の変形例
６．応用例
６．１．ＡＧＬＥ及びＧＬＤＢに関する応用例
６．２．マスタＷＳＤに関する応用例
６．３．スレーブＷＳＤに関する応用例
７．まとめ
【００１７】
＜＜１．はじめに＞＞
まず、複信方式に関する動向、技術的課題、及び本実施形態に係る新たな手法を説明する。
【００１８】
＜１．１．複信方式に関する動向＞
ＴＶホワイトスペースについての複信方式として、周波数分割複信（Frequency  Division  Duplex：ＦＤＤ）又は時分割複信（Time  Division  Duplex：ＴＤＤ）が採用され得る。ＦＤＤでは、アップリンク用の周波数チャネル及びダウンリンク用の周波数チャネルをそれぞれ用意することになるが、ＴＤＤでは、周波数チャネルをアップリンク及びダウンリンクに柔軟に割り当てることが可能である。
【００１９】
そして、ＴＶホワイトスペースについての複信方式として、より柔軟なＴＤＤが望ましいと考えられている。まず、プライマリシステムがどの周波数チャネルを用いるかは場所ごとのチャネルの状況次第であるので、アップリンク及びダウンリンクへのより柔軟な割当てが好ましいためである。また、ＷＳＤの無線アクセス技術（Radio  Access  Technology：ＲＡＴ）として有力なＳｕｐｅｒ  Ｗｉ−Ｆｉ（ＩＥＥＥ  ８０２．１１ａｆ、ＩＥＥＥ  ８０２．２２）でＴＤＤ系のＣＳＭＡ（Carrier  Sense  Multiple  Access）又はＴＤＭＡ（Time  Division  Multiple  Access）で動作するプロトコルが採用されるためである。また、最近では、ＴＤ−ＬＴＥ（Time  Division  Long  Term  Evolution）により周波数帯域を二次的に利用しようとする動きが、欧州において活発化しようとしている。
【００２０】
なお、ＴＤＤでは、無線フレームに複数のサブフレームが含まれ、サブフレーム単位のリンク方向（例えば、ダウンリンク、アップリンク）が設定される。より具体的には、無線フレームにおけるサブフレーム単位でのリンク方向を表すリンク方向コンフィギュレーション（即ち、ＴＤＤコンフィギュレーション）の複数の候補が予め用意されている。そして、当該複数の候補のうちのいずれかの候補が設定される。以下、図１を参照して、このようなＴＤＤコンフィギュレーションの複数の候補の具体例を説明する。
【００２１】
図１は、ＴＤＤコンフィギュレーションの具体例を説明するための説明図である。図１を参照すると、３ＧＰＰ（3rd  Generation  Partnership  Project）の技術規格（TS  36.211  Table  4.2-2:  Uplink-downlink  Configuration）において定義されている７つのＴＤＤコンフィギュレーション（Ｃｏｎｆｉｇｕｒａｔｉｏｎ  ０〜６）が示されている。ＴＤＤコンフィギュレーションにおいて、各サブフレームは、ダウンリンク用のサブフレームであるダウンリンクフレーム、アップリンク用のサブフレームであるアップリンクフレーム、及びスペシャルサブフレームのうちのいずれかである。スペシャルサブフレームは、基地局から端末装置への伝搬遅延を考慮するために、ダウンリンクサブフレームとアップリンクサブフレームとの切換えの際に設けられる。
【００２２】
図１に示されるように、アップリンクのためのサブフレームの数とダウンリンクのためのサブフレームの数との比が、各ＴＤＤコンフィギュレーションによって異なる。例えばスペシャルサブフレームをダウンリンクのためのサブフレームと考えると、全サブフレームに占めるダウンリンクのためのサブフレーム（即ち、ダウンリンクサブフレーム及びスペシャルサブフレーム）の割合を最大にするＴＤＤコンフィギュレーションは、Ｃｏｎｆｉｇｕｒａｔｉｏｎ  ５である。この場合に、ダウンリンクのためのサブフレームの割合は、９割である。一方で、全サブフレームに占めるアップリンクのためのサブフレームの割合を最大にするＴＤＤコンフィギュレーションは、Ｃｏｎｆｉｇｕｒａｔｉｏｎ  ０である。この場合に、アップリンクのためのサブフレーム（即ち、アップリンクサブフレーム）の割合は、６割である。
【００２３】
＜１．２．技術的課題＞
一般的に、周波数帯域を二次的に利用する送信機の送信電力は、プライマリシステムの受信機に有害な干渉を与えないように制限される。しかし、周波数帯域を二次的に利用するセカンダリシステムの受信機にプライマリシステムの送信機の送信電力が与える影響については、具体的に考慮されていない。そのため、プライマリシステムについての送信電力がセカンダリシステムに大きな影響を与え得る。以下、図２、図３及び図４を参照して、プライマリシステムについての送信電力がセカンダリシステムに与える影響の例を説明する。
【００２４】
図２は、プライマリシステムについての送信電力がセカンダリシステムのアップリンクに与える影響の例を説明するための説明図である。図２を参照すると、１次システムである放送システムの送信機１０と、セカンダリシステムのマスタＷＳＤ２０及びスレーブＷＳＤ３０とが、示されている。図２に示されるように、電波が遠くまで届くように、放送システムの送信機１０は、通常非常に高い位置に設置される。また、アクセスポイント又は基地局としての役割を担うマスタＷＳＤ２０も、スレーブＷＳＤ３０よりも高い位置に設置される。このような場合に、送信機１０からマスタＷＳＤ２０への伝搬路が見通し伝搬路になる可能性が高い。さらに、送信機１０の送信電力は非常に大きくなり得る。そのため、送信機１０の送信電力はマスタＷＳＤ２０に大きな影響を与え得る。即ち、送信機１０の送信信号が、マスタＷＳＤ２０が受信するアップリンク信号に大きく干渉し得る。このように、プライマリシステムについての送信電力はセカンダリシステムのアップリンクに大きな影響を与え得る。
【００２５】
図３は、プライマリシステムについての送信電力がセカンダリシステムのダウンリンクに与える影響の例を説明するための説明図である。図３を参照すると、図２と同様に、１次システムである放送システムの送信機１０と、セカンダリシステムのマスタＷＳＤ２０及びスレーブＷＳＤ３０とが、示されている。上述したように、放送システムの送信機１０は、通常非常に高い位置に設置され、マスタＷＳＤ２０も、スレーブＷＳＤ３０よりも高い位置に設置される。このような場合に、送信機１０からスレーブＷＳＤ３０への伝搬路が見通し伝搬路にならない可能性が高い。そのため、送信機１０の送信電力がスレーブＷＳＤ３０に与える影響は、送信機１０の送信電力がマスタＷＳＤ２０に与える影響とくらべて小さくなる。このように、プライマリシステムについての送信電力がセカンダリシステムのダウンリンクに与える提供は、プライマリシステムについての送信電力がセカンダリシステムのアップリンクに与える影響とくらべて小さくなり得る。
【００２６】
図４は、ＷＳＤのアップリンクのＳＩＮＲ（Signal-to-Interference  and  Noise  power  Ratio）とダウンリンクのＳＩＮＲとの比較結果の例を説明するための説明図である。図４を参照すると、図２に示されるようなケースのアップリンク特性と、図３に示されるようなケースのダウンリンク特性とが示されている。より具体的には、アップリンク及びダウンリンクの各々についてのＳＩＮＲの累積分布関数（Cumulative  Distribution  Function：ＣＤＦ）が示されている。この例では、プライマリシステム及びセカンダリシステムの運用パラメータについては、ＥＣＣ  ＲＥＰＯＲＴ  １８６  Ａｎｎｅｘ  １に定義されている値が踏襲されている。結果として、図４に示されるように、アップリンクのＳＩＮＲは、ダウンリンクのＳＩＮＲの方よりも低くなる。
【００２７】
以上のように、プライマリシステムの送信機とセカンダリシステムの各装置がある程度離れているという前提においては、マスタＷＳＤ２０及びスレーブＷＳＤ３０の平面の位置関係によらず、プライマリシステムからセカンダリシステムへの影響は、より高い位置にあるマスタＷＳＤ２０において強く現れる。即ち、プライマリシステムからセカンダリシステムへの影響は、アップリンクにおいて強く現れる。
【００２８】
このようなプライマリシステムからセカンダリシステムへの影響は、とりわけ複信方式としてＴＤＤが採用される場合に顕著になり得る。以下、この点について図５を参照して具体例を説明する。
【００２９】
図５は、プライマリシステムの周波数チャネルから、セカンダリシステムで利用される各周波数チャネルへの干渉の例を説明するための説明図である。図５を参照すると、プライマリシステムの無線通信に用いられる周波数チャネルであるプライマリチャネル（Primary  Channel）と、セカンダリシステムの無線通信に用いられる周波数チャネルである３つのセカンダリチャネル（Secondary  Channel）が示されている。図５に示されるように、プライマリチャネルからの帯域外放射により、プライマリチャネルにより近いセカンダリチャネル（例えば、セカンダリチャネル♯１）では、より大きな干渉が生じる。即ち、プライマリチャネルにより近いセカンダリチャネル（例えば、セカンダリチャネル♯１）では、アップリンクのＳＩＮＲが、ダウンリンクのＳＩＮＲよりも特に低くなる。その結果、セカンダリシステムにおけるスループットが低下し得る。
【００３０】
そこで、本実施形態は、同一の又は近い周波数帯域を利用する送信機及び受信機がある場合であっても、当該受信機を介してより望ましい無線通信を行うことを可能にする。より具体的には、例えば、ＷＳＤを介してより望ましい無線通信を行うことを可能にする。
【００３１】
＜１．３．本実施形態に係る新たな手法＞
−新たなＴＤＤコンフィギュレーションの定義
図１を参照して既に説明したように、例えば３ＧＰＰにおいて７つのＴＤＤコンフィギュレーションが定義されている。とりわけ本実施形態では、新たなＴＤＤコンフィギュレーションが定義される。具体的には、ダウンリンク専用のＴＤＤコンフィギュレーション、及び／又はアップリンク専用のＴＤＤコンフィギュレーションが、新たに定義される。以下、図６及び図７を参照して新たなＴＤＤコンフィギュレーションの例を説明する。
【００３２】
図６は、ダウンリンク専用のＴＤＤコンフィギュレーションを説明するための説明図である。図６を参照すると、Ｃｏｎｆｉｇｕｒａｔｉｏｎ  ７として、ダウンリンク専用のＴＤＤコンフィギュレーションが示されている。図６に示されるように、ダウンリンク専用のＴＤＤコンフィギュレーションでは、いずれのサブフレームも、ダウンリンク用のサブフレーム（即ち、ダウンリンクサブフレーム）である。
【００３３】
図７は、アップリンク専用のＴＤＤコンフィギュレーションを説明するための説明図である。図７を参照すると、Ｃｏｎｆｉｇｕｒａｔｉｏｎ  ８として、ケース１及びケース２のアップリンク専用のコンフィギュレーションが示されている。ケース１は、直前の無線フレームの最後のサブフレームがアップリンクサブフレームであるケースであり、ケース２は、直前の無線フレームの最後のサブフレームがダウンリンクサブフレームであるケースである。ケース１及びケース２の両方において、最初のサブフレーム以外の残りのサブフレーム（即ち、サブフレーム♯１〜♯９）は、アップリンクサブフレームである。そして、ケース１では、最初のサブフレーム（即ち、サブフレーム♯０）も、アップリンクサブフレームである。一方、ケース２では、最初のサブフレームの一部又は全体でアップリンク送信が行われない。なぜならば、スペシャルサブフレームと同様に、最初のサブフレームでは、伝搬遅延に起因して、ダウンリンク信号の受信が行われ得るからである。
【００３４】
例えば以上のように、ダウンリンク専用のサブフレーム及びアップリンク専用のサブフレームが用意される。
【００３５】
このような新たなＴＤＤコンフィギュレーションが用意されることで、例えばＷＳＤの受信機を介してより望ましい無線通信を行うことが可能になる。
【００３６】
例えば、ダウンリンク専用のＴＤＤコンフィギュレーションが用意されることで、プライマリシステムの無線通信に用いられるプライマリチャネルと、セカンダリシステムの無線通信に用いられるセカンダリチャネルとが、周波数方向において近い場合でも、プライマリチャネルからセカンダリチャネルへの影響をより小さくすることができる。より具体的には、図５を参照して説明したように、セカンダリチャネルが周波数方向においてプライマリチャネルに近い場合には、特にアップリンクのＳＩＮＲが低下し得る。そのため、ダウンリンク専用のＴＤＤコンフィギュレーションが用意されていれば、このようなセカンダリチャネルにおける無線通信のためのＴＤＤコンフィギュレーションとしてダウンリンク専用のＴＤＤコンフィギュレーションを設定することが可能になる。その結果、プライマリチャネル付近のセカンダリチャネルであっても、プライマリシステムからの干渉をより抑えることが可能になる。即ち、プライマリチャネル付近の利用可能チャネルであっても、ＳＩＮＲの低下をより抑えることが可能になる。即ち、ＷＳＤ（スレーブＷＳＤ）の受信機を介してより望ましい無線通信を行うことが可能になる。
【００３７】
また、例えば、アップリンク専用のＴＤＤコンフィギュレーションが用意されることで、プライマリチャネルから周波数方向において離れたセカンダリチャネルの帯域幅が狭い（又は当該セカンダリチャネルの数が少ない）場合でも、アップリンクのスループットを向上させることが可能になる。より具体的には、図５を参照して説明したように、セカンダリチャネルが周波数方向においてプライマリチャネルに近い場合には、特にアップリンクのＳＩＮＲが低下し得る。換言すると、セカンダリチャネルが周波数方向においてプライマリチャネルから離れていれば、アップリンクのＳＩＮＲもあまり低下しない。そのため、アップリンク専用のＴＤＤコンフィギュレーションが用意されていれば、プライマリチャネルから離れたセカンダリチャネルにおける無線通信のためのＴＤＤコンフィギュレーションとしてアップリンク専用のＴＤＤコンフィギュレーションを設定することが可能になる。その結果、このようなセカンダリチャネルの帯域幅が狭い（又は、このようなセカンダリチャネルの数が少ない）場合であっても、アップリンク用に多数の無線リソースを確保することができる。そのため、アップリンクのスループットを向上させることが可能になる。即ち、ＷＳＤ（マスタＷＳＤ）の受信機を介してより望ましい無線通信を行うことが可能になる。
【００３８】
さらに、例えば、ダウンリンク専用のＴＤＤコンフィギュレーション及びアップリンク専用のＴＤＤコンフィギュレーションの両方が用意され得る。この場合に、複信方式としてＴＤＤを採用する無線通信システムであっても、一時的に、及び／又は、一部の周波数チャネルにおいて、複信方式としてＦＤＤを採用する場合と同様に無線通信を行うことが可能になる。そのため、例えば、プライマリチャネルにより近いセカンダリチャネルにおける無線通信のために、ダウンリンク専用のＴＤＤコンフィギュレーションを設定し、プライマリチャネルからより離れたセカンダリチャネルにおける無線通信のために、アップリンク専用のＴＤＤコンフィギュレーションを設定することも可能になる。その結果、プライマリチャネルからの干渉を抑えつつ、アップリンクのスループットを向上させることが可能になる。
【００３９】
＜＜２．本実施形態に係る通信システムの概略的な構成＞＞
続いて、図８を参照して、本開示の実施形態に係る通信システムの概略的な構成を説明する。図８は、本実施形態に係る通信システム１の概略的な構成の一例を示す説明図である。図１を参照すると、通信システム１は、ＧＬＤＢ（Geo-Location  Database）５０、ＡＧＬＥ（Advanced  Geo-Location  Engine）１００、マスタＷＳＤ（White  Space  Device）２００及びスレーブＷＳＤを含む。なお、この例は、ＴＶホワイトスペースに関する通信システムの例である。
【００４０】
ＧＬＤＢ５０は、国が管理する周波数チャネルについてのデータを管理するレギュラトリデータベースである。例えば、ＧＬＤＢ５０は、プライマリシステムに関する情報及び保護ルールを提供し、監視する。一例として、ＧＬＤＢ５０は、セカンダリシステムが利用可能な周波数チャネル（以下、「利用可能チャネル」と呼ぶ）に関する情報（以下、「利用可能チャネル関連情報」と呼ぶ）を提供する。
【００４１】
ＡＧＬＥ１００は、国において周波数管理主体又はサードパーティが運営するセカンダリシステム管理ノードである。例えば、ＡＧＬＥ１００は、ＧＬＤＢ５０により提供される利用可能チャネル関連情報を、より高度な保護アルゴリズムの使用により修正してもよく、上記利用可能チャネル関連情報に新たな情報を追加してもよい。この例では、ＧＬＤＢ５０に対して１つのＡＧＬＥ１００が存在しているが、ＧＬＤＢ５０に対して複数のＡＧＬＥ１００が存在し得る。
【００４２】
マスタＷＳＤ２００は、国の領域内でセカンダリシステムを運用する装置である。マスタＷＳＤ２００が無線通信に用いる周波数チャネル、当該無線通信における送信電力等は、ＧＬＤＢ５０及び／又はＡＧＬＥ１００によって決定され得る。
【００４３】
スレーブＷＳＤ３００は、マスタＷＳＤ２００と無線通信を行う。
【００４４】
なお、ＡＧＬＥ１００及びマスタＷＳＤ２００は、時分割複信（ＴＤＤ）方式に従った無線通信を制御する通信制御装置である。そして、例えば、当該無線通信は、プライマリシステムのための周波数チャネルを二次的に利用するセカンダリシステムの無線通信である。例えば、ＡＧＬＥ１００は、各マスタＷＳＤ２００によるセカンダリシステムの無線通信を制御する。また、マスタＷＳＤ２００は、自装置によるセカンダリシステムの無線通信を制御する。
【００４５】
＜＜３．各装置の構成＞＞
続いて、図９〜図１３を参照して、本実施形態に係るＡＧＬＥ１００、マスタＷＳＤ２００及びスレーブＷＳＤ３００の構成の一例を説明する。
【００４６】
＜３．１．ＡＧＬＥの構成＞＞
図９〜図１１を参照して、本実施形態に係るＡＧＬＥ１００の構成の一例を説明する。図９は、本実施形態に係るＡＧＬＥ１００の構成の一例を示すブロック図である。図９を参照すると、ＡＧＬＥ１００は、ネットワーク通信部１１０、記憶部１２０及び制御部１３０を備える。
【００４７】
（ネットワーク通信部１１０）
ネットワーク通信部１１０は、他の通信ノードと通信する。例えば、ネットワーク通信部１１０は、ＧＬＤＢ５０及びマスタＷＳＤ２００と通信する。
【００４８】
（記憶部１２０）
記憶部１２０は、ＡＧＬＥ１００の動作のためのプログラム及びデータを記憶する。
【００４９】
また、例えば、記憶部１２０は、セカンダリシステムのための利用可能チャネルに関する情報（以下、「利用可能チャネル関連情報」と呼ぶ）を記憶する。例えば、当該利用可能チャネル関連情報は、利用可能チャネルごとの利用可能時間、中心周波数、帯域幅、最大送信電力、送信スペクトラムマスク関連情報、リンク方向についての制約等を含む。
【００５０】
また、例えば、記憶部１２０は、上記利用可能チャネル関連情報の他に、ＧＬＤＢ５０及びマスタＷＳＤ２００に提供する各種制御情報、並びに、ＧＬＤＢ５０及びマスタＷＳＤ２００から提供される各種制御情報を記憶する。
【００５１】
（制御部１３０）
制御部１３０は、ＡＧＬＥ１００の様々な機能を提供する。制御部１３０は、情報取得部１３１、チャネル認識部１３２、選択可能候補決定部１３３、チャネル割当部１３５、コンフィギュレーション選択部１３７及びコンフィギュレーション適用部１３９を含む。
【００５２】
（情報取得部１３１）
情報取得部１３１は、セカンダリシステムのための利用可能チャネルに関する情報（即ち、利用可能チャネル関連情報）を取得する。
【００５３】
例えば、上記利用可能チャネル関連情報は、利用可能チャネルごとの利用可能時間、中心周波数、帯域幅、最大送信電力、送信スペクトラムマスク関連情報等を含む。なお、当該利用可能チャネル情報は、ＧＬＤＢ５０により提供される情報であってもよく、又は、ＧＬＤＢ５０により提供される当該情報からＡＧＬＥ１００（制御部１３０）によって修正された情報であってもよい。
【００５４】
また、例えば、情報取得部１３１は、ＧＬＤＢ５０及びマスタＷＳＤ２００から提供される各種情報を、ネットワーク通信部１１０を介して取得し、記憶部１２０に記憶させる。
【００５５】
また、例えば、情報取得部１３１は、ＧＬＤＢ５０及びマスタＷＳＤ２００に提供する各種制御情報を記憶部１２０から取得し、ネットワーク通信部１１０を介して当該各種情報をＧＬＤＢ５０及びマスタＷＳＤ２００に提供する。
【００５６】
（チャネル認識部１３２）
チャネル認識部１３２は、ＡＧＬＥ１００により制御される無線通信（以下、「対象無線通信」と呼ぶ）が行われる周波数チャネルを認識する。
【００５７】
例えば、チャネル認識部１３２は、取得された利用可能チャネル情報から、セカンダリシステムのための利用可能チャネルを認識する。以下、この点について図１０を参照して具体例を説明する。
【００５８】
図１０は、セカンダリシステムのための利用可能チャネルの例を説明するための説明図である。図１０を参照すると、プライマリチャネル（即ち、プライマリシステムの無線通信に用いられる周波数チャネル）と３つの利用可能チャネル♯１〜３（即ち、セカンダリシステムが利用可能な周波数チャネル）とが示されている。利用可能チャネル♯１は、利用可能チャネルの中でプライマリチャネルに最も近いチャネルであり、利用可能チャネル♯３は、利用可能チャネルの中でプライマリチャネルから最も離れたチャネルである。例えば、このように、チャネル認識部１３２は、３つの利用可能チャネルを認識する。
【００５９】
（選択可能候補決定部１３３）
例えば、対象無線通信が２つ以上の周波数チャネルにおいて行われる。この場合に、選択可能候補決定部１３３は、上記２つ以上の周波数チャネルに含まれる個々の周波数チャネルごとに、ＴＤＤコンフィギュレーションの複数の候補のうちの、上記個々の周波数チャネルにおける無線通信に適用するために選択可能な１つ以上の候補（以下、「選択可能候補」と呼ぶ）を決定する。また、選択可能候補決定部１３３は、干渉信号が送信される干渉周波数チャネルと上記個々の周波数チャネルとの周波数方向の距離に関する情報（以下、「距離関連情報」と呼ぶ）に基づいて、上記１つ以上の選択可能候補を決定する。例えば、上記干渉周波数チャネルは、セカンダリシステムと異なる別の無線通信システムにおいて用いられる周波数チャネルである。一例として、当該干渉周波数チャネルは、当該セカンダリシステムに対応するプライマリシステム（又は、別のプライマリシステム）において用いられる周波数チャネル（即ち、プライマリチャネル）である。
【００６０】
例えば、セカンダリシステムの無線通信（即ち、対象無線通信）が２つ以上の利用可能チャネルにおいて行われる。この場合に、選択可能候補決定部１３３は、上記２つ以上の利用可能チャネルに含まれる個々の利用可能チャネルごとに、１つ以上の選択可能候補（ＴＤＤコンフィギュレーション）を決定する。また、選択可能候補決定部１３３は、プライマリチャネルと個々の利用可能チャネルとの周波数方向の距離に関する情報（即ち、距離関連情報）に基づいて、１つ以上の選択可能候補を決定する。即ち、利用可能チャネルごとに、利用可能チャネルとプライマリチャネルとの距離に基づいて、リンク方向（ＴＤＤコンフィギュレーション）についての制約が決定される。
【００６１】
また、例えば、上記ＴＤＤコンフィギュレーションの複数の候補は、ダウンリンク専用のＴＤＤコンフィギュレーション及び／又はアップリンク専用のＴＤＤコンフィギュレーションを含む。即ち、ＴＤＤコンフィギュレーションの複数の候補には、図６及び図７に示されるようなＣｏｎｆｉｇｕｒａｔｉｏｎ  ７及び／又はＣｏｎｆｉｇｕｒａｔｉｏｎ  ８が含まれる。また、例えば、上記複数の候補には、図１に示されるようなＣｏｎｆｉｇｕｒａｔｉｏｎ  ０〜６が含まれる。
【００６２】
−１つ以上の選択可能な候補の決定手法
−−第１の例
第１の例として、上記１つ以上の選択可能候補は、上記干渉周波数チャネルと上記個々の周波数チャネルとの距離が距離Ｄ１よりも小さい場合に、ダウンリンク専用のＴＤＤコンフィギュレーションである。即ち、選択可能候補決定部１３３は、上記干渉周波数チャネルと上記個々の周波数チャネルとの距離が第１の距離よりも小さい場合に、ダウンリンク専用のＴＤＤコンフィギュレーションを選択可能候補として決定する。
【００６３】
例えば、選択可能候補決定部１３３は、プライマリチャネルと個々の利用可能チャネルとの距離が距離Ｄ１よりも小さい場合に、ダウンリンク専用のＴＤＤコンフィギュレーションを選択可能候補として決定する。一例として、図１０に示される３つの利用可能チャネル１〜３がある場合に、利用可能チャネル１についての選択可能候補が、ダウンリンク専用のＴＤＤコンフィギュレーションになる。
【００６４】
これにより、プライマリチャネル（干渉周波数チャネル）に近い利用可能チャネルでは、ダウンリンクサブフレームだけのＴＤＤコンフィギュレーション（アップリンクサブフレームがないＴＤＤコンフィギュレーション）が選択され、適用される。その結果、当該利用可能チャネルでは、アップリンクの無線通信は行われず、ダウンリンクの無線通信のみが行われる。そのため、当該利用可能チャネルにおける干渉を抑えられる。即ち、当該利用可能チャネルにおけるＳＩＮＲの低下が抑えられる。
【００６５】
−−第２の例
第２の例として、上記１つ以上の選択可能候補は、上記干渉周波数チャネルと上記個々の周波数チャネルとの距離が距離Ｄ２よりも大きい場合に、アップリンク専用のＴＤＤコンフィギュレーションを含む。
【００６６】
例えば、選択可能候補決定部１３３は、プライマリチャネルと個々の利用可能チャネルとの距離が距離Ｄ２よりも大きい場合に、アップリンク専用のＴＤＤコンフィギュレーションを、選択可能候補の１つとして決定する。一例として、図１０に示される３つの利用可能チャネル１〜３がある場合に、利用可能チャネル３についての１つ以上の選択可能候補が、アップリンク専用のＴＤＤコンフィギュレーションを含む。
【００６７】
これにより、プライマリチャネル（干渉周波数チャネル）から離れた利用可能チャネルでは、アップリンクサブフレームだけのＴＤＤコンフィギュレーションが選択可能になる。そのため、このようなＴＤＤコンフィギュレーションの選択により、当該利用可能チャネルの帯域幅（又は全ての利用可能チャネルの帯域幅の総和）が狭い場合でも、セカンダリシステムにおけるアップリンクのスループットを向上させることが可能になる。
【００６８】
−−第３の例
第３の例として、上記１つ以上の選択可能候補は、上記干渉周波数チャネルと上記個々の周波数チャネルとの周波数方向における距離がより大きい場合に、アップリンクサブフレームの数がより大きいＴＤＤコンフィギュレーションを含む。
【００６９】
例えば、選択可能候補決定部１３３は、プライマリチャネルと個々の利用可能チャネルとの周波数方向における距離がより大きい場合に、アプリンクサブフレームの数がより大きいＴＤＤコンフィギュレーションを、選択可能候補として決定する。一例として、図１０に示される３つの利用可能チャネル１〜３がある場合に、利用可能チャネル３についての選択可能候補は、Ｃｏｎｆｉｇｕｒａｔｉｏｎ  ８（即ち、アップリンク専用のＴＤＤコンフィギュレーション）を含む。一方、利用可能チャネル１についての選択可能候補及び利用可能チャネル２についての選択可能候補は、Ｃｏｎｆｉｇｕｒａｔｉｏｎ  ８を含まない。また、例えば、利用可能チャネル２についての選択可能候補は、Ｃｏｎｆｉｇｕｒａｔｉｏｎ  ０〜６を含む。一方、利用可能チャネル１についての選択可能候補は、Ｃｏｎｆｉｇｕｒａｔｉｏｎ  ０〜６が含まれず、Ｃｏｎｆｉｇｕｒａｔｉｏｎ  ７のみである。このように、利用可能チャネルが、プライマリチャネルから離れている程、選択可能候補は、アップリンクサブフレームの数が大きいＴＤＤコンフィギュレーションを含む。
【００７０】
これにより、利用可能チャネルがプライマリチャネル（干渉周波数チャネル）から離れているほど、当該利用可能チャネルのために、アップリンクサブフレームの数がより大きいＴＤＤコンフィギュレーションが選択可能になる。一方、利用可能チャネルがプライマリチャネル（干渉周波数チャネル）に近いほど、当該利用可能チャネルのために、アップリンクサブフレームの数がより小さいＴＤＤコンフィギュレーションしか選択できなくなる。そのため、このようなＴＤＤコンフィギュレーションの選択により、当該利用可能チャネルにおける干渉を抑えられる。即ち、当該利用可能チャネルにおけるＳＩＮＲの低下が抑えられる。
【００７１】
以上のように、１つ以上の選択可能候補の決定手法の第１の例〜第３の例を説明した。例えば、このように決定された選択可能候補の情報が、利用可能チャネル関連情報に追加される。即ち、リンク方向の制約が利用可能チャネル関連情報に追加される。以下、このような利用可能チャネル関連情報の例を、図１１を参照して説明する。
【００７２】
図１１は、選択可能候補の情報が追加された利用可能チャネル関連情報の例を説明するための説明図である。図１１を参照すると、利用可能チャネル関連情報がリスト形式で示されている。例えば、利用可能チャネル関連情報は、利用可能チャネルの利用可能時間、中心周波数、帯域幅、最大送信電力、送信スペクトラムマスク関連情報、及びリンク方向の制約を含む。当該リンク方向の制約は、選択可能候補と同等である。例えば、中心周波数がｆ１である利用可能チャネルでは、リンク方向の制約はＦＤＤアップリンクのみである。即ち、当該利用可能チャネルについての選択可能候補は、アップリンク専用のＴＤＤコンフィギュレーションのみである。また、中心周波数がｆ２である利用可能チャネルでは、リンク方向は全て認められる。即ち、当該利用可能チャネルについての選択可能候補は、全てのＴＤＤコンフィギュレーションである。また、中心周波数がｆｎである利用可能チャネルでは、リンク方向の制約はＦＤＤダウンリンクのみである。即ち、当該利用可能チャネルについての選択可能候補は、ダウンリンク専用のＴＤＤコンフィギュレーションのみである。このように、選択可能候補を含む利用可能チャネル関連情報が生成される。
【００７３】
−ＱｏＳに基づく決定
また、上記１つ以上の選択可能な候補は、対象無線通信に要求されるサービス品質（Quality  of  Service：ＱｏＳ）に関する情報（以下、「ＱｏＳ関連情報」と呼ぶ）にさらに基づいて決定されてもよい。即ち、選択可能候補決定部１３３は、距離関連情報及びＱｏＳ関連情報に基づいて、上記１つ以上の選択可能な候補を決定してもよい。
【００７４】
例えば、上記ＱｏＳ関連情報は、スループット、レイテンシー、又は帯域幅等を含む。一例として、高いスループットが求められない場合には、選択可能候補決定部１３３は、Ｃｏｎｆｉｇｕｒａｔｉｏｎ０〜６を、プライマリチャネルに近い利用可能チャネルについての選択可能候補として決定してもよい。
【００７５】
これにより、無線通信において求められるＱｏＳに応じて、当該無線通信のために必要十分な制約の下で、ＴＤＤコンフィギュレーションが選択され得る。そのため、より柔軟に周波数チャネルを利用することが可能になる。
【００７６】
−距離関連情報
なお、一例として、上記距離関連情報（即ち、プライマリチャネルと個々の利用可能チャネルとの周波数方向の距離に関する情報）は、例えば、プライマリチャネルの中心周波数と個々の利用可能チャネルの中心周波数との周波数方向の距離である。この場合に、例えば、プライマリチャネルの中心周波数は、ＧＬＤＢ５０から提供される制御情報の中に含まれ、個々の利用可能チャネルの中心周波数は、利用可能チャネル関連情報の中に含まれる。
【００７７】
以上のように、個々の周波数チャネルについて、ＴＤＤコンフィギュレーションの選択可能候補が決定される。これにより、干渉の影響を抑えつつ、スループットを向上させることが可能になる。
【００７８】
（チャネル割当部１３５）
チャネル割当部１３５は、対象無線通信に周波数チャネルを割り当てる。
【００７９】
例えば、チャネル割当部１３５は、１つ以上の利用可能チャネルをセカンダリシステムでの無線通信に割り当てる。
【００８０】
−プライマリチャネルから離れた周波数チャネルの割当て
また、対象無線通信は、１つ以上の周波数チャネルで行われる。そして、当該１つ以上の周波数チャネルは、干渉信号が送信される干渉周波数チャネルから周波数方向において距離Ｄ４以上離れた周波数チャネルを含む。
【００８１】
具体的には、例えば、セカンダリシステムの無線通信が１つ以上の利用可能チャネルにおいて行われる。そして、当該１つ以上の利用可能チャネルは、プライマリチャネルから周波数方向において距離Ｄ４以上離れた利用可能チャネルを含む。即ち、チャネル割当部１３５は、セカンダリシステムの無線通信のために、プライマリチャネルから周波数方向において距離Ｄ４以上離れた利用可能チャネルを割り当てる。
【００８２】
このような割当てにより、プライマリチャネルからの干渉をより小さくすることができる。そのため、セカンダリシステムにおけるアップリンクのスループットを向上させることが可能になる。
【００８３】
−周波数チャネルの割当て先
なお、複数のマスタＷＳＤ２００がある場合には、チャネル割当部１３５は、各マスタＷＳＤ２００に、同一の利用可能チャネルを割り当ててもよく、又は別の利用可能チャネルを割り当ててもよい。一例として、チャネル割当部１３５は、各マスタＷＳＤ２００の位置に応じて、当該位置におけるプライマリチャネルからの影響を考慮して、利用可能チャネルを割り当ててもよい。
【００８４】
（コンフィギュレーション選択部１３７）
コンフィギュレーション選択部１３７は、ＴＤＤコンフィギュレーションの複数の候補のうちの、対象無線通信のためのＴＤＤコンフィギュレーションを選択する。
【００８５】
例えば、コンフィギュレーション選択部１３７は、ＴＤＤコンフィギュレーションの複数の候補のうちの、セカンダリシステムでの無線通信（即ち、対象無線通信）のためのＴＤＤコンフィギュレーションを選択する。
【００８６】
例えば、上記複数の候補は、ダウンリンク専用のＴＤＤコンフィギュレーション及びアップリンク専用のＴＤＤコンフィギュレーションのうちの少なくとも一方を含む。
【００８７】
また、例えば、上記複数の候補は、ダウンリンク専用のＴＤＤコンフィギュレーションを含む。上述したように、これにより、プライマリチャネル付近の利用可能チャネルであっても、プライマリシステムからの干渉をより抑えることが可能になる。即ち、プライマリチャネル付近の利用可能チャネルであっても、ＳＩＮＲの低下をより抑えることが可能になる。
【００８８】
また、例えば、上記複数の候補は、アップリンク専用のＴＤＤコンフィギュレーションを含む。上述したように、これにより、プライマリチャネルから離れたセカンダリチャネルの帯域幅が狭い（又は、セカンダリチャネルの数が少ない）場合であっても、アップリンク用に多数の無線リソースを確保することができる。そのため、アップリンクのスループットを向上させることが可能になる。
【００８９】
そして、例えばこのように、上記複数の候補は、ダウンリンク専用のＴＤＤコンフィギュレーション及びアップリンク専用のＴＤＤコンフィギュレーションの両方を含む。この場合に、複信方式としてＴＤＤを採用する無線通信システムであっても、一時的に、及び／又は、一部の周波数チャネルにおいて、複信方式としてＦＤＤを採用する場合と同様に無線通信を行うことが可能になる。その結果、プライマリチャネルからの干渉を抑えつつ、アップリンクのスループットを向上させることが可能になる。
【００９０】
また、上述したように、例えば、アップリンク専用のリンク方向コンフィギュレーションは、無線フレームに含まれる複数のサブフレームのうちの最初のサブフレームの一部又は全体でアップリンク送信が行われないＴＤＤコンフィギュレーションを含む。この点は、図７を参照して、ケース２として説明したとおりである。これにより、直前の無線フレームの最後のサブフレームがダウンリンクサブフレームであるでも、当該ダウンリンクサブフレームにおけるダウンリンク信号への干渉を避けることが可能になる。
【００９１】
−２つ以上の周波数チャネルにおいて対象無線通信が行われる場合
例えば、コンフィギュレーション選択部１３７は、対象無線通信が２つ以上の周波数チャネルにおいて行われる場合に、当該２つ以上の周波数チャネルに含まれる個々の周波数チャネルごとに、上記複数の候補のうちの、上記個々の周波数チャネルにおける無線通信のためのＴＤＤコンフィギュレーションを選択する。
【００９２】
例えば、コンフィギュレーション選択部１３７は、セカンダリシステムの無線通信が２つ以上の利用可能チャネルにおいて行われる場合に、当該２つ以上の利用可能チャネルに含まれる個々の利用可能チャネルごとに、ＴＤＤコンフィギュレーションを選択する。
【００９３】
−−ＴＤＤコンフィギュレーションの選択手法
−−−選択可能候補からの選択
例えば、コンフィギュレーション選択部１３７は、上記複数の候補のうちの１つ以上の選択可能候補の中から、上記個々の周波数チャネルにおける無線通信のためのＴＤＤコンフィギュレーションを選択する。
【００９４】
例えば、コンフィギュレーション選択部１３７は、当該２つ以上の利用可能チャネルに含まれる個々の利用可能チャネルごとに、選択可能候補決定部１３３により決定された１つ以上の選択可能候補の中から、ＴＤＤコンフィギュレーションを選択する。
【００９５】
−−−プライマリチャネルからの距離に応じた選択
−−−−第１の例
第１の例として、対象無線通信が行われる上記２つ以上の周波数チャネルは、干渉信号が送信される干渉周波数チャネルにより近い第１の周波数チャネルと、上記干渉周波数チャネルからより離れた第２の周波数チャネルとを含む。そして、コンフィギュレーション選択部１３７は、上記第１の周波数チャネルにおける無線通信のためのＴＤＤコンフィギュレーションとして、ダウンリンクサブフレームの数が第１の数である第１のＴＤＤコンフィギュレーションを選択する。また、コンフィギュレーション選択部１３７は、上記第２の周波数チャネルにおける無線通信のためのＴＤＤコンフィギュレーションとして、ダウンリンクサブフレームの数が上記第１の数よりも小さい第２の数である第２のリンク方向コンフィギュレーションを選択する。
【００９６】
具体的には、例えば、セカンダリシステムの無線通信が行われる２つ以上の利用可能チャネルは、プライマリチャネルにより近い第１の利用可能チャネルと、プライマリチャネルからより離れた第２の利用可能チャネルとを含む。そして、コンフィギュレーション選択部１３７は、第１の利用可能チャネルにおける無線通信のためのＴＤＤコンフィギュレーションとして、ダウンリンクサブフレーム数がＮ１である第１のＴＤＤコンフィギュレーションを選択する。また、コンフィギュレーション選択部１３７は、第２の利用可能チャネルにおける無線通信のためのＴＤＤコンフィギュレーションとして、ダウンリンクサブフレーム数がＮ２（Ｎ２＜Ｎ１）である第２のＴＤＤコンフィギュレーションを選択する。即ち、プライマリチャネルにより近い利用可能チャネルには、ダウンリンクサブフレーム数がより大きいＴＤＤコンフィギュレーションが選択され、プライマリチャネルからより離れた利用可能チャネルには、ダウンリンクサブフレーム数がより小さいＴＤＤコンフィギュレーションが選択される。
【００９７】
このようなＴＤＤコンフィギュレーションの選択により、利用可能チャネルにおける干渉を抑えられる。即ち、利用可能チャネルにおけるＳＩＮＲの低下が抑えられる。
【００９８】
なお、当該選択可能候補が上述の「１つ以上の選択可能な候補の決定手法」の「第３の例」のように決定される場合には、このようなＴＤＤコンフィギュレーションの選択は、選択可能候補の中からＴＤＤコンフィギュレーションを選択することにより、自動的に実現され得る。
【００９９】
−−−−第２の例
第２の例として、コンフィギュレーション選択部１３７は、干渉周波数チャネルと上記個々の周波数チャネルとの周波数方向の距離が距離Ｄ３よりも小さい場合に、当該個々の周波数チャネルにおける無線通信のためのＴＤＤコンフィギュレーションとして、ダウンリンク専用のＴＤＤコンフィギュレーションを選択する。
【０１００】
具体的には、例えば、コンフィギュレーション選択部１３７は、プライマリチャネルと個々の利用可能チャネルとの距離が距離Ｄ３よりも小さい場合に、当該個々の利用可能チャネルにおける無線通信のためのＴＤＤコンフィギュレーションとして、ダウンリンク専用のＴＤＤコンフィギュレーションを選択する。
【０１０１】
このようなＴＤＤコンフィギュレーションの選択により、プライマリチャネルに近い利用可能チャネルにおける干渉を抑えられる。即ち、当該利用可能チャネルにおけるＳＩＮＲの低下が抑えられる。
【０１０２】
なお、当該選択可能候補が上述の「１つ以上の選択可能な候補の決定手法」の「第１の例」のように決定される場合には、このようなＴＤＤコンフィギュレーションの選択は、選択可能候補の中からＴＤＤコンフィギュレーションを選択することにより、自動的に実現され得る。
【０１０３】
−１つの周波数チャネルにおいて対象無線通信が行われる場合
例えば、コンフィギュレーション選択部１３７は、対象無線通信が１つの周波数チャネルにおいて行われる場合に、上記複数の候補のうちの、上記１つの周波数チャネルにおける無線通信のためのＴＤＤコンフィギュレーションを選択する。
【０１０４】
例えば、コンフィギュレーション選択部１３７は、セカンダリシステムの無線通信が１つの利用可能チャネルにおいて行われる場合に、当該１つの利用可能チャネルにおける無線通信のためのＴＤＤコンフィギュレーションを選択する。
【０１０５】
一例として、セカンダリシステムの無線通信がアップリンク及びダウンリンクの両方を必要とする場合に、コンフィギュレーション選択部１３７は、上記１つの利用可能チャネルにおける無線通信のためのＴＤＤコンフィギュレーションとして、Ｃｏｎｆｉｇｕｒａｔｉｏｎ０〜６のいずれかを選択する。
【０１０６】
−所定の種類の無線通信が行われる場合
上述したように、例えば、対象無線通信は、１つ以上の周波数チャネルで行われ、当該１つ以上の周波数チャネルは、干渉信号が送信される干渉周波数チャネルから周波数方向において距離Ｄ４以上離れた周波数チャネルを含む。そして、コンフィギュレーション選択部１３７は、対象無線通信が所定の種類の無線通信である場合に、アップリンクサブフレームの数が所定の数よりも大きいＴＤＤコンフィギュレーションを、上記干渉チャネルから距離Ｄ４以上離れた周波数チャネルのためのＴＤＤコンフィギュレーションとして選択する。例えば、上記所定の種類の無線通信は、機器間（Ｍａｃｈｉｎｅ  ｔｏ  Ｍａｃｈｉｎｅ）通信である。
【０１０７】
例えば、セカンダリシステムの無線通信は、１つ以上の利用可能チャネルで行われ、当該１つ以上の利用可能チャネルは、プライマリチャネルから周波数方向において距離Ｄ４以上離れた周波数チャネルを含む。そして、コンフィギュレーション選択部１３７は、セカンダリシステムの線通信がＭ２Ｍ通信である場合に、アップリンクサブフレームの数が所定の数よりも大きいＴＤＤコンフィギュレーションを、上記干渉チャネルから距離Ｄ４以上離れた周波数チャネルのためのＴＤＤコンフィギュレーションとして選択する。
【０１０８】
このようなＴＤＤコンフィギュレーションの選択により、アップリンクのトラフィックが多い無線通信（例えば、Ｍ２Ｍ通信）において、プライマリチャネルからの干渉をより小さくし、アップリンクのスループットを向上させることが可能になる。
【０１０９】
（コンフィギュレーション適用部１３９）
コンフィギュレーション適用部１３９は、選択されるＴＤＤコンフィギュレーションを対象無線通信に適用する。
【０１１０】
具体的には、例えば、コンフィギュレーション適用部１３９は、選択されるＴＤＤコンフィギュレーションをセカンダリシステムの無線通信に適用する。
【０１１１】
−２つ以上の周波数チャネルにおいて対象無線通信が行われる場合
例えば、対象無線通信が、２つ以上の周波数チャネルで行われる。この場合に、コンフィギュレーション適用部１３９は、当該２つ以上の周波数チャネルに含まれる個々の周波数チャネルごとに選択されるＴＤＤコンフィギュレーションを、当該個々の周波数チャネルにおける無線通信に適用する。
【０１１２】
具体的には、例えば、セカンダリシステムの無線通信が、２つ以上の利用可能チャネルで行われる。この場合に、コンフィギュレーション適用部１３９は、当該２つ以上の利用可能チャネルに含まれる個々の利用可能チャネルごとに選択されるＴＤＤコンフィギュレーションを、当該個々の利用可能チャネルにおける無線通信に適用する。
【０１１３】
−具体的な適用の手法
例えば、コンフィギュレーション適用部１３９は、選択されたＴＤＤコンフィギュレーションをマスタＷＳＤ２００に設定させることにより、選択された当該ＴＤＤコンフィギュレーションを対象無線通信（例えば、セカンダリシステムの無線通信）に適用する。
【０１１４】
具体的には、例えば、コンフィギュレーション適用部１３９は、ネットワーク通信部１１０を介して、マスタＷＳＤ２００に、利用可能チャネル関連情報、利用可能チャネルの割当て結果、及びＴＤＤコンフィギュレーションの選択結果を通知する。そして、このような通知を受けたマスタＷＳＤ２００は、割り当てられた利用可能チャネルにおける無線通信のために、選択されたＴＤＤコンフィギュレーションを設定する。その後、選択された当該ＴＤＤコンフィギュレーションに従った無線通信が行われる。
【０１１５】
＜３．２．マスタＷＳＤの構成＞
次に、図１２を参照して、本実施形態に係るマスタＷＳＤ２００の構成の一例を説明する。図１２は、本実施形態に係るマスタＷＳＤ２００の構成の一例を示すブロック図である。図１２を参照すると、マスタＷＳＤ２００は、アンテナ部２１０、無線通信部２２０、ネットワーク通信部２３０、記憶部２４０及び制御部２５０を備える。
【０１１６】
（アンテナ部２１０）
アンテナ部２１０は、無線信号を受信し、受信された無線信号を無線通信部２２０へ出力する。また、アンテナ部２１０は、無線通信部２２０により出力された送信信号を送信する。
【０１１７】
（無線通信部２２０）
無線通信部２２０は、スレーブＷＳＤ３００がマスタＷＳＤ２００の通信範囲内に位置する場合に、スレーブＷＳＤ３００との無線通信を行う。
【０１１８】
（ネットワーク通信部２３０）
ネットワーク通信部２３０は、他の通信ノードと通信する。例えば、ネットワーク通信部２３０は、ＡＧＬＥ１００と通信する。
【０１１９】
（記憶部２４０）
記憶部２４０は、マスタＷＳＤ２００の動作のためのプログラム及びデータを記憶する。
【０１２０】
また、例えば、記憶部２４０は、利用可能チャネル関連情報、利用可能チャネルの割当て結果、及びＴＤＤコンフィギュレーションの選択結果を記憶する。
【０１２１】
また、例えば、記憶部２４０は、上記情報の他に、ＡＧＬＥ１００から提供される各種制御情報を記憶する。また、記憶部２４０は、ＡＧＬＥ１００に提供する各種制御情報を記憶する。
【０１２２】
（制御部２５０）
制御部２５０は、マスタＷＳＤ２００の様々な機能を提供する。制御部２５０は、情報取得部２５１、コンフィギュレーション選択部２５３、コンフィギュレーション適用部２５５及び通信制御部２５７を含む。
【０１２３】
（情報取得部２５１）
情報取得部２５１は、対象無線通信のために必要な情報を取得する。
【０１２４】
例えば、情報取得部２５１は、ネットワーク通信部２３０を介して、ＡＧＬＥ１００から、利用可能チャネル関連情報、利用可能チャネルの割当て結果、及びＴＤＤコンフィギュレーションの選択結果を取得する。そして、情報取得部２５１は、これらの情報を記憶部２４０に記憶させる。
【０１２５】
また、例えば、情報取得部２５１は、ＡＧＬＥ１００から提供される他の各種情報を、ネットワーク通信部２３０を介して取得し、記憶部２４０に記憶させる。
【０１２６】
また、例えば、情報取得部２５１は、ＡＧＬＥ１００に提供する各種制御情報を記憶部２４０から取得し、ネットワーク通信部２３０を介して当該各種情報をＡＧＬＥ１００に提供する。
【０１２７】
（コンフィギュレーション選択部２５３）
コンフィギュレーション選択部２５３は、ＴＤＤコンフィギュレーションの複数の候補のうちの、対象無線通信のためのＴＤＤコンフィギュレーションを選択する。
【０１２８】
例えば、コンフィギュレーション選択部２５３は、ＴＤＤコンフィギュレーションの複数の候補のうちの、セカンダリシステムでの無線通信（即ち、対象無線通信）のためのＴＤＤコンフィギュレーションを選択する。
【０１２９】
また、例えば、コンフィギュレーション選択部２５３は、対象無線通信が２つ以上の周波数チャネルにおいて行われる場合に、当該２つ以上の周波数チャネルに含まれる個々の周波数チャネルごとに、上記複数の候補のうちの、上記個々の周波数チャネルにおける無線通信のためのＴＤＤコンフィギュレーションを選択する。
【０１３０】
例えば、コンフィギュレーション選択部２５３は、セカンダリシステムの無線通信が２つ以上の利用可能チャネルにおいて行われる場合に、当該２つ以上の利用可能チャネルに含まれる個々の利用可能チャネルごとに、ＴＤＤコンフィギュレーションを選択する。
【０１３１】
−具体的な選択手法
例えば、コンフィギュレーション選択部２５３は、ＡＧＬＥ１００から提供されるＴＤＤコンフィギュレーションの選択結果に基づいて、ＴＤＤコンフィギュレーションを選択する。
【０１３２】
（コンフィギュレーション適用部２５５）
コンフィギュレーション適用部２５５は、選択されるＴＤＤコンフィギュレーションを対象無線通信に適用する。
【０１３３】
具体的には、例えば、コンフィギュレーション適用部２５５は、選択されるＴＤＤコンフィギュレーションをセカンダリシステムの無線通信に適用する。
【０１３４】
−２つ以上の周波数チャネルにおいて対象無線通信が行われる場合
例えば、対象無線通信が、２つ以上の周波数チャネルで行われる。この場合に、コンフィギュレーション適用部２５５は、当該２つ以上の周波数チャネルに含まれる個々の周波数チャネルごとに選択されるＴＤＤコンフィギュレーションを、当該個々の周波数チャネルにおける無線通信に適用する。
【０１３５】
具体的には、例えば、セカンダリシステムの無線通信が、２つ以上の利用可能チャネルで行われる。この場合に、コンフィギュレーション適用部２５５は、当該２つ以上の利用可能チャネルに含まれる個々の利用可能チャネルごとに選択されるＴＤＤコンフィギュレーションを、当該個々の利用可能チャネルにおける無線通信に適用する。
【０１３６】
−具体的な適用の手法
例えば、コンフィギュレーション適用部２５５は、選択されたＴＤＤコンフィギュレーションをマスタＷＳＤ２００において設定することにより、選択された当該ＴＤＤコンフィギュレーションを対象無線通信（例えば、セカンダリシステムの無線通信）に適用する。また、コンフィギュレーション適用部２５５は、無線通信部２２０を介して、スレーブＷＳＤ３００に、設定されるＴＤＤコンフィギュレーションを通知する。
【０１３７】
（通信制御部２５７）
通信制御部２５７は、時分割複信（ＴＤＤ）方式に従った無線通信を制御する。例えば、当該無線通信は、プライマリシステムのための周波数チャネルを二次的に利用するセカンダリシステムの無線通信である。
【０１３８】
具体的には、例えば、通信制御部２５７は、設定されたＴＤＤコンフィギュレーションに従って、ＴＤＤ方式に従ったセカンダリシステムの無線通信を制御する。即ち、通信制御部２５７は、無線通信部２２０に、ダウンリンクサブフレームにおいて、ダウンリンク信号を送信させ、アップリンクサブフレームにおいて、アップリンク信号を受信させる。
【０１３９】
＜３．３．スレーブＷＳＤの構成＞
次に、図１３を参照して、本実施形態に係るスレーブＷＳＤ３００の構成の一例を説明する。図１３は、本実施形態に係るスレーブＷＳＤ３００の構成の一例を示すブロック図である。図１３を参照すると、スレーブＷＳＤ３００は、アンテナ部３１０、無線通信部３２０、記憶部３３０及び制御部３４０を備える。
【０１４０】
（アンテナ部３１０）
アンテナ部３１０は、無線信号を受信し、受信された無線信号を無線通信部３２０へ出力する。また、アンテナ部３１０は、無線通信部３２０により出力された送信信号を送信する。
【０１４１】
（無線通信部３２０）
無線通信部３２０は、スレーブＷＳＤ３００がマスタＷＳＤ２００の通信範囲内に位置する場合に、マスタＷＳＤ２００との無線通信を行う。
【０１４２】
（記憶部３３０）
記憶部３３０は、スレーブＷＳＤ３００の動作のためのプログラム及びデータを記憶する。
【０１４３】
また、例えば、記憶部３３０は、マスタＷＳＤ２００により設定されるＴＤＤコンフィギュレーションを記憶する。
【０１４４】
また、例えば、記憶部３３０は、上記情報の他に、マスタＷＳＤ２００から提供される情報を記憶する。また、記憶部３３０は、マスタＷＳＤ２００に提供する各種制御情報を記憶する。
【０１４５】
（制御部３４０）
制御部３４０は、スレーブＷＳＤ３００の様々な機能を提供する。制御部３４０は、情報取得部３４１、コンフィギュレーション認識部３４３及び通信制御部３４５を含む。
【０１４６】
（情報取得部３４１）
情報取得部３４１は、対象無線通信のために必要な情報を取得する。
【０１４７】
例えば、情報取得部３４１は、無線通信部３２０を介して、マスタＷＳＤ２００から、設定されるＴＤＤコンフィギュレーションを取得する。そして、情報取得部３４は、設定される当該ＴＤＤコンフィギュレーションを記憶部３３０に記憶させる。
【０１４８】
また、例えば、情報取得部３４１は、マスタＷＳＤ２００から提供される他の各種情報を、無線通信部３２０を介して取得し、記憶部３３０に記憶させる。
【０１４９】
また、例えば、情報取得部３４１は、マスタＷＳＤ２００に提供する各種制御情報を記憶部３３０から取得し、無線通信部３２０を介して当該各種情報をマスタＷＳＤ２００に提供する。
【０１５０】
（コンフィギュレーション認識部３４３）
コンフィギュレーション認識部３４３は、ＴＤＤコンフィギュレーションの複数の候補のうちの、対象無線通信に適用されるＴＤＤコンフィギュレーションを認識する。
【０１５１】
例えば、上述したように、情報取得部３４１は、マスタＷＳＤ２００から、設定されるＴＤＤコンフィギュレーションを取得する。すると、コンフィギュレーション認識部３４３は、設定される当該ＴＤＤコンフィギュレーションを認識する。
【０１５２】
（通信制御部３４５）
通信制御部３４５は、時分割複信（ＴＤＤ）方式に従った無線通信を制御する。例えば、当該無線通信は、プライマリシステムのための周波数チャネルを二次的に利用するセカンダリシステムの無線通信である。
【０１５３】
具体的には、例えば、通信制御部３４５は、設定されたＴＤＤコンフィギュレーションに従って、ＴＤＤ方式に従ったセカンダリシステムの無線通信を制御する。即ち、通信制御部３４５は、無線通信部３２０に、ダウンリンクサブフレームにおいて、ダウンリンク信号を送信させ、アップリンクサブフレームにおいて、アップリンク信号を受信させる。
【０１５４】
＜＜４．処理の流れ＞＞
続いて図１４を参照して、本実施形態に係る通信制御処理の一例を説明する。図１４は、本実施形態に係る通信制御処理の概略的な流れの一例を示すシーケンス図である。
【０１５５】
まず、ＧＬＤＢ５０及びＡＧＬＥ１００は、周期的に又は所定のトリガに従って、情報を交換する（ステップＳ４０１）。ここで交換される情報には、例えば、同期情報（ＮＴＰ情報、ＧＰＳ（Global  Positioning  System）およびＩＥＥＥ１５８８（ネットワーク上に分散された基地局のクロックを同期させるためのプロトコル）、時刻補正情報など）、ＩＤ情報、管理領域情報（国、地域、緯度、経度、高さ、等）、セキュリティ情報（相互認証のためのセキュリティキーなど）、情報更新周期情報、バックアップ関連情報、プライマリシステムの送信機情報（アンテナの高さ、位置（緯度、経度）、送信スペクトラムマスク情報、利用周波数関連情報（中心周波数、帯域幅）、アンテナゲイン、アンテナの指向性、等）が含まれる。
【０１５６】
また、ＡＧＬＥ１００及びマスタＷＳＤ２００は、周期的に又は所定のトリガに従って、情報を交換する（ステップＳ４０３）。ここで交換される情報には、例えば、同期情報、ＩＤ情報、管理領域情報、セキュリティ情報、情報更新周期情報、バックアップ関連情報、マスタＷＳＤ２００及びスレーブＷＳＤ３００の送受信機情報（アンテナの高さ、位置（緯度、経度）、送信スペクトラムマスク情報、利用周波数関連情報（中心周波数、帯域幅）、アンテナゲイン、アンテナの指向性、等）が含まれる。
【０１５７】
また、ＡＧＬＥ１００は、セカンダリシステムのための利用可能チャネルに関する情報（即ち、利用可能チャネル関連情報）を決定する（ステップＳ４０５）。当該利用可能チャネル関連情報は、利用可能チャネルごとの利用可能時間、中心周波数、帯域幅、最大送信電力、送信スペクトラムマスク関連情報を含む。また、ＡＧＬＥ１００（選択可能候補決定部１３３）は、個々の利用可能チャネルごとに、ＴＤＤコンフィギュレーションの複数の候補のうちの、１つ以上の選択可能候補（ＴＤＤコンフィギュレーション）を決定する。当該１つ以上の選択可能候補は、プライマリチャネルと個々の利用可能チャネルとの周波数方向の距離に関する情報（即ち、距離関連情報）に基づいて決定される。そして、このように決定された１つ以上の選択可能候補の情報は、上記利用可能チャネル関連情報に追加される。
【０１５８】
そして、ＡＧＬＥ１００（チャネル割当部１３５）は、１つ以上の利用可能チャネルを、セカンダリシステムの無線通信に割り当てる（ステップＳ４０７）。
【０１５９】
また、ＡＧＬＥ１００（コンフィギュレーション選択部１３７）は、割り当てられた個々の利用可能チャネルごとに、ＴＤＤコンフィギュレーションの複数の候補のうちの、当該個別の利用可能チャネルにおける無線通信のためのＴＤＤコンフィギュレーションを選択する（ステップＳ４０９）。具体的には、ＡＧＬＥ１００は、割り当てられた個々の利用可能チャネルごとに、１つ以上の選択可能候補（ＴＤＤコンフィギュレーション）の中から、当該個別の利用可能チャネルにおける無線通信のためのＴＤＤコンフィギュレーションを選択する。
【０１６０】
そして、ＡＧＬＥ１００（コンフィギュレーション適用部１３９）は、マスタＷＳＤ２００に、ＴＤＤコンフィギュレーションの選択結果を通知する（ステップＳ４１１）。また、ＡＧＬＥ１００は、マスタＷＳＤ２００に、利用可能チャネル関連情報、及び利用可能チャネルの割当て結果も通知する。
【０１６１】
その後、マスタＷＳＤ２００（コンフィギュレーション適用部２５５）は、個々の利用可能チャネルごとに選択されたＴＤＤコンフィギュレーションを、マスタＷＳＤ２００において設定する（Ｓ４１３）。
【０１６２】
そして、マスタＷＳＤ２００（通信制御部２５７）は、設定されたＴＤＤコンフィギュレーションに従って、ＴＤＤ方式に従ったセカンダリシステムの無線通信を開始する（Ｓ４１５）。
【０１６３】
＜＜５．変形例＞＞
続いて、本実施形態の第１〜第４の変形例を説明する。
【０１６４】
＜５．１．第１の変形例＞
上述した本実施形態の例では、ＡＧＬＥ１００が、選択可能候補の決定、利用可能チャネルの割当て、及びＴＤＤコンフィギュレーションの選択を行う。一方、本実施形態の第１の変形例では、選択可能候補の決定、利用可能チャネルの割当て、及びＴＤＤコンフィギュレーションの選択を、ＧＬＤＢ５０が行う。即ち、第１の変形例では、ＡＧＬＥ１００のうちの選択可能候補決定部１３３、チャネル割当て部１３５、コンフィギュレーション選択部１３７の機能は、ＡＧＬＥ１００ではなく、ＧＬＤＢ５０に備えられる。以下、図１５を参照して、このような第１の変形例に係る通信制御処理の一例を説明する。
【０１６５】
図１５は、本実施形態の第１の変形例に係る通信制御処理の概略的な流れの一例を示すシーケンス図である。なお、ステップＳ５０１、Ｓ５０３、Ｓ５１３、Ｓ５１５及びＳ５１７は、図１４を参照して説明した通信制御処理のステップＳ４０１、Ｓ４０３、Ｓ４１１、Ｓ４１３及びＳ４１５と同様である。よって、ここでは、ステップＳ５０５、Ｓ５０７、Ｓ５０９及びＳ５１１のみを説明する。
【０１６６】
ＧＬＤＢ５０は、セカンダリシステムのための利用可能チャネルに関する情報（即ち、利用可能チャネル関連情報）を決定する（ステップＳ５０５）。当該利用可能チャネル関連情報は、利用可能チャネルごとの利用可能時間、中心周波数、帯域幅、最大送信電力、送信スペクトラムマスク関連情報を含む。また、ＧＬＤＢ５０は、個々の利用可能チャネルごとに、ＴＤＤコンフィギュレーションの複数の候補のうちの、１つ以上の選択可能候補（ＴＤＤコンフィギュレーション）を決定する。当該１つ以上の選択可能候補は、プライマリチャネルと個々の利用可能チャネルとの周波数方向の距離に関する情報（即ち、距離関連情報）に基づいて決定される。そして、このように決定された１つ以上の選択可能候補の情報は、上記利用可能チャネル関連情報に追加される。
【０１６７】
そして、ＧＬＤＢ５０は、１つ以上の利用可能チャネルを、セカンダリシステムの無線通信に割り当てる（ステップＳ５０７）。
【０１６８】
また、ＧＬＤＢ５０は、割り当てられた個々の利用可能チャネルごとに、ＴＤＤコンフィギュレーションの複数の候補のうちの、当該個別の利用可能チャネルにおける無線通信のためのＴＤＤコンフィギュレーションを選択する（ステップＳ５０９）。
【０１６９】
そして、ＧＬＤＢ５０は、ＡＧＬＥ１００に、ＴＤＤコンフィギュレーションの選択結果を通知する（ステップＳ５１１）。また、ＧＬＤＢ５０は、ＡＧＬＥ１００に、利用可能チャネル関連情報、及び利用可能チャネルの割当て結果も通知する。
【０１７０】
以上のように、第１の変形例によれば、選択可能候補の決定、利用可能チャネルの割当て、及びＴＤＤコンフィギュレーションの選択は、ＧＬＤＢ５０により行われる。なお、選択可能候補の決定、利用可能チャネルの割当て、及びＴＤＤコンフィギュレーションの選択のうちの一部が、ＧＬＤＢ５０により行われ、残りが、ＡＧＬＥ１００により行われてもよい。
【０１７１】
＜５．２．第２の変形例＞
上述した本実施形態の例では、ＡＧＬＥ１００が、ＴＤＤコンフィギュレーションの選択を行う。一方、本実施形態の第２の変形例では、ＴＤＤコンフィギュレーションの選択を、マクロＷＳＤ２００が行う。即ち、第２の変形例では、ＡＧＬＥ１００のうちのコンフィギュレーション選択部１３７の機能は、ＡＧＬＥ１００ではなく、マスタＷＳＤ２００に備えられる。以下、図１６を参照して、このような第２の変形例に係る通信制御処理の一例を説明する。
【０１７２】
図１６は、本実施形態の第２の変形例に係る通信制御処理の概略的な流れの一例を示すシーケンス図である。なお、ステップＳ６０１〜Ｓ６０７、Ｓ６１３、Ｓ６１５は、図１４を参照して説明した通信制御処理のステップＳ４０１〜Ｓ４０７、Ｓ４１３及びＳ４１５と同様である。よって、ここでは、ステップＳ６０９及びＳ６１１のみを説明する。
【０１７３】
ＡＧＬＥ１００は、マスタＷＳＤ２００に、利用可能チャネル関連情報、及び利用可能チャネルの割当て結果を通知する（ステップＳ６０９）。
【０１７４】
その後、マスタＷＳＤ２００は、割り当てられた個々の利用可能チャネルごとに、ＴＤＤコンフィギュレーションの複数の候補のうちの、当該個別の利用可能チャネルにおける無線通信のためのＴＤＤコンフィギュレーションを選択する（ステップＳ６１１）。
【０１７５】
以上のように、第２の変形例によれば、ＴＤＤコンフィギュレーションの選択は、マクロＷＳＤ２００により行われる。なお、このような場合に、さらに、選択可能候補の決定、及び／又は、利用可能チャネルの割当てが、ＧＬＤＢ５０により行われてもよい。
【０１７６】
＜５．３．第３の変形例＞
上述した本実施形態の例では、１つの国に対応する１つのＧＬＤＢ５０の管理下におけるプライマリシステムからセカンダリシステムへの干渉の抑制又は回避の手法を説明した。しかし、国の境界付近にセカンダリシステム（例えば、マスタＷＳＤ２００）が位置する場合には、当該セカンダリシステムは、他国におけるプライマリシステムから影響を受ける可能性がある。即ち、ある国のセカンダリシステムにおいて、別の国のプライマリシステムからの干渉が生じる可能性がある。
【０１７７】
そこで、本実施形態の第３の変形例では、１つの国に対応する１つのＧＬＤＢ５０の管理下におけるプライマリシステムのみではなく、別の国に対応するＧＬＤＢ５０の管理下におけるプライマリシステムも考慮する。即ち、別の国に対応するＧＬＤＢ５０の管理下におけるプライマリシステムからセカンダリシステムへの干渉の抑制又は回避の手法を提供する。
【０１７８】
−第３の変形例に係る各装置の配置例
まず、図１７を参照して、第３の実施形態の前提となる各装置の配置例を説明する。図１７は、第３の実施形態の前提となる各装置の配置の一例を説明するための説明図である。図１７を参照すると、Ａ国とＢ国との間の境界６０が示されている。境界６０は、必ずしも国境に一致していなくてもよく、周波数帯域の管理の観点から柔軟に設定されてよい。また、第３の変形例は、国の境界のみならず、共同体、州又は県などを含み得る地域の境界における二次利用の制御に広く適用可能である。
【０１７９】
ＧＬＤＢ５０Ａは、Ａ国が管理する周波数チャネルについてのデータを管理するレギュラトリデータベースである。また、ＡＧＬＥ１００Ａは、Ａ国において周波数管理主体又はサードパーティが運営するセカンダリシステム管理ノードである。一方、ＧＬＤＢ５０Ｂは、Ｂ国が管理する周波数チャネルについてのデータを管理するレギュラトリデータベースである。また、ＡＧＬＥ５０Ｂは、Ｂ国において周波数管理主体又はサードパーティが運営するセカンダリシステム管理ノードである。
【０１８０】
マスタＷＳＤ２００Ａは、Ａ国の領域において境界６０付近でセカンダリシステムを運用する装置である。マスタＷＳＤ２００Ｂは、Ｂ国の領域において境界６０付近でセカンダリシステムを運用する装置である。Ａ国におけるマスタＷＳＤ２００Ａは、Ａ国におけるプライマリシステムだけではなく、Ｂ国におけるプライマリシステムからも、影響を受ける可能性がある。また、同様に、Ｂ国におけるマスタＷＳＤ２００Ｂは、Ｂ国におけるプライマリシステムだけではなく、Ａ国におけるプライマリシステムからも、影響を受ける可能性がある。
【０１８１】
そのため、第３の実施形態では、このような影響（即ち、干渉）の抑制又は回避のための制御エンティティとして、ＣＲＭ（Coordinated  Resource  Management）が設けられる。ＣＲＭは、ある国のセカンダリシステムに対して別の国のプライマリシステムが影響を与え得るかを検証し、必要に応じて利用可能チャネルに関する調整を行う。図１７に示される例では、ＣＲＭは、ＡＧＬＥ１００の一部として実装される。
【０１８２】
−処理の流れ
次に、図１８Ａ及び図１８Ｂを参照して、本実施形態の第３の変形例に係る通信制御処理の一例を説明する。図１８Ａ及び図１８Ｂは、本実施形態の第３の変形例に係る通信制御処理の概略的な流れの一例を示すシーケンス図である。
【０１８３】
まず、ＧＬＤＢ５０Ａ及びＡＧＬＥ１００Ａは、周期的に又は所定のトリガに従って、情報を交換する（ステップＳ７０１）。同様に、ＧＬＤＢ５０Ｂ及びＡＧＬＥ１００Ｂも、周期的に又は所定のトリガに従って、情報を交換する。ここで交換される情報は、図１４に示されるステップＳ４０１に関して説明したとおりである。
【０１８４】
また、ＡＧＬＥ１００Ａ及びマスタＷＳＤ２００Ａは、周期的に又は所定のトリガに従って、情報を交換する（ステップＳ７０３）。同様に、ＡＧＬＥ１００Ｂ及びマスタＷＳＤ２００Ｂも、周期的に又は所定のトリガに従って、情報を交換する。ここで交換される情報は、図１４に示されるステップＳ４０３に関して説明したとおりである。
【０１８５】
また、ＡＧＬＥ１００Ａは、Ａ国におけるセカンダリシステムのための利用可能チャネルに関する情報（即ち、利用可能チャネル関連情報）を決定する（ステップＳ７０５）。同様に、ＡＧＬＥ１００Ｂも、Ｂ国におけるセカンダリシステムのための利用可能チャネルに関する情報（即ち、利用可能チャネル関連情報）を決定する。決定される利用可能チャネル関連情報には、１つ以上の選択可能候補（ＴＤＤコンフィギュレーション）の情報が含まれる。
【０１８６】
とりわけ、第３の変形例では、ＡＧＬＥ１００Ａ及びＡＧＬＥ１００Ｂが、情報を交換する（ステップＳ７０７）。ここで交換される情報には、ステップＳ７０１及Ｓ７０３で交換された情報の一部又は全部を含む。
【０１８７】
そして、ＡＧＬＥ１００Ａ及びＡＧＬＥ１００Ｂの各々は、存在を知り得ない他国のプライマリシステムであって、自国のセカンダリシステムに影響を与えるプライマリシステムがあるかをチェックする。そして、そのようなプライマリシステムがある場合には、ＡＧＬＥ１００は、当該プライマリシステムからセカンダリシステムへの影響（例えば、干渉レベル）を試算する。当該影響が所定のレベル以上である場合には、ＡＧＬＥ１００は、利用可能チャネル情報を修正し、再度決定する（ステップＳ７０９）。当該利用可能チャネル情報の修理は、例えば、ＴＤＤコンフィギュレーションの選択可能候補の変更であってもよく、影響を受ける利用可能チャネルの帯域幅の縮小、又は当該利用可能チャネルの削除であってもよい。
【０１８８】
その後、ＡＧＬＥ１００Ａ及びＡＧＬＥ１００Ｂが、再度、情報を交換する（ステップＳ７１１）。ここで交換される情報には、例えば、再度決定された利用可能チャネル関連情報が含まれる。そして、ＡＧＬＥ１００Ａ及びＡＧＬＥ１００Ｂは、利用可能チャネル関連情報の再決定について互いに確認し、合意する。
【０１８９】
そして、ステップＳ７２１〜ステップＳ７２９において、図１４を参照して説明したステップＳ４０７〜Ｓ４１５と同様の処理が行われる。
【０１９０】
なお、ステップＳ７１３の処理は、ＡＧＬＥ１００Ａ及びＡＧＬＥ１００Ｂの両方により行われるのではなく、片方のみにより行われてもよい。この場合に、ＡＧＬＥ１００Ａ及びＡＧＬＥ１００Ｂのうちのいずれで処理を行うかは、各装置における処理の負荷に基づいて決められてもよく、又はランダムに決められてもよい。また、当該処理は、ＡＧＬＥ１００Ａ及びＡＧＬＥ１００Ｂにより交互に行われてもよい。
【０１９１】
また、境界６０付近における干渉の問題を回避するために専用の周波数チャネルが確保されていてもよい。この場合に、ステップＳ７１３において、プライマリシステムからセカンダリシステムへの影響（例えば、干渉レベル）が所定のレベル以上である場合に、当該専用の周波数チャネルの利用が許可されてもよい。
【０１９２】
−ＣＲＭのその他の配置例
上述した例では、ＣＲＭは、ＡＧＬＥ１００に配置される。しかし、第３の実施形態に係るＣＲＭの配置はこの例に限定されない。以下、この点について、図１９及び図２０を参照して具体例を説明する。
【０１９３】
図１９は、ＣＲＭの配置の別の例を説明するための説明図である。図１９を参照すると、図１７と同様に、ＧＬＤＢ５０Ａ及びＡＧＬＥ１００Ａ、並びにＧＬＤＢ５０Ｂ及びＡＧＬＥ１００Ｂが示されている。図１９に示されるように、ＣＲＭ３００は、ＧＬＤＢ５０及びＡＧＬＥ１００から物理的に独立した装置として実装され、ＧＬＤＢ５０及びＡＧＬＥ１００と通信可能に接続されてもよい。
【０１９４】
このようなＣＲＭ３００は、例えば、ＡＧＬＥ１００Ａ及びＡＧＬＥ１００Ｂ（並びに、ＧＬＤＢ５０Ａ及びＧＬＤＢ５０Ｂ）と情報を交換し、一方の国のセカンダリシステムに影響を与える他方の国のプライマリシステムがあるかをチェックする。そして、そのようなプライマリシステムがある場合には、ＣＲＭ３００は、当該プライマリシステムからセカンダリシステムへの影響（例えば、干渉レベル）を試算する。当該影響が所定のレベル以上である場合には、ＣＲＭ３００は、利用可能チャネル情報を修正し、再度決定する。
【０１９５】
図２０は、ＣＲＭの配置のさらに別の例を説明するための説明図である。図２０を参照すると、図１７と同様に、ＧＬＤＢ５０Ａ及びＡＧＬＥ１００Ａ、並びにＧＬＤＢ５０Ｂ及びＡＧＬＥ１００Ｂが示されている。図２０に示されるように、ＣＲＭは、ＧＬＤＢ５０の一部として実装されてもよい。
【０１９６】
このようなＣＲＭを一部に含むＧＬＤＢ５０は、例えば、一方の国のセカンダリシステムに影響を与える他方の国のプライマリシステムがあるかをチェックする。そして、そのようなプライマリシステムがある場合には、ＧＬＤＢ５０は、当該プライマリシステムからセカンダリシステムへの影響（例えば、干渉レベル）を試算する。当該影響が所定のレベル以上である場合には、ＧＬＤＢ５０は、利用可能チャネル情報を修正し、再度決定する
【０１９７】
以上、本実施形態の第３の変形例を説明した。本実施形態の第３の変形例によれば、同国内のプライマリシステムからの干渉のみではなく、他国のプライマリシステムからの干渉も抑制又は回避される。
【０１９８】
＜５．４．第４の変形例＞
ここまで、主にＴＶホワイトスペースの文脈での実施形態について説明した。しかしながら、本実施形態に係る技術は、かかる例に限定されない。
【０１９９】
例えば、３ＧＰＰリリース１２以降の第５世代（５Ｇ）無線通信方式の検討において、通信キャパシティを向上させるために、マクロセルとスモールセルとを互いに重複させることが提案されている（NTT  DOCOMO,  INC.,  “Requirements,  Candidate  Solutions  &  Technology  Roadmap  for  LTE  Rel-12  Onward”,  3GPP  Workshop  on  Release  12  and  onwards，Ljubljana,  Slovenia,  June  11-12,  2012）。本実施形態に係る技術は、このようなマクロセルとスモールセルとの間に干渉が生じ得るケースにも適用可能である。即ち、上記対象無線通信は、マクロセルと一部又は全体で重なるスモールセルにおける無線通信であってもよく、干渉周波数チャネルは、上記マクロセルにおいて用いられる周波数チャネルであってもよい。
【０２００】
また、本実施形態に係る技術は、インフラシェアリングを前提としたＬＳＡのケースにも適用可能である。また、本実施形態係る技術は、ＭＶＮＯ（Mobile  Virtual  Network  Operator）及び／又はＭＶＮＥ（Mobile  Virtual  Network  Enabler）により運用されるシステムとＭＮＯ（Mobile  Network  Operator）により運用されるシステムとの間に干渉が生じセルケースにも適用可能である。また、本実施形態係る技術は、ＭＢＭＳ（Multimedia  Broadccast  Multicast  Service）が適用されるケースにも適用可能である。具体的には、例えば、ＭＢＳＦＮ（MBMS  Single  Frequency  Network）送信方式により複数の基地局から同一の信号を一斉に同期送信する場合に、（複数の）周波数チャネルにおける無線通信にダウンリンク専用のＴＤＤコンフィギュレーションが適用されてもよい。この場合に、アップリンクチャネルの割当てに関する処理が省略されてもよい。
【０２０１】
なお、どのシステム又はセルを与干渉側とし、どのシステム又はセルを被干渉として扱うかは、通信リンクごとの優先度に従って決定されてもよい。優先度は、ＱｏＳ要件によって特定され、又は予め定義され得る。
【０２０２】
＜＜６．応用例＞＞
本開示に係る技術は、様々な製品へ応用可能である。例えば、ＡＧＬＥ１００及びＧＬＤＢ５０の各々は、タワーサーバ、ラックサーバ、又はブレードサーバなどのいずれかの種類のサーバとして実現されてもよい。また、ＡＧＬＥ１００及びＧＬＤＢ５０の各々は、サーバに搭載される制御モジュール（例えば、１つのダイで構成される集積回路モジュール、又はブレードサーバのスロットに挿入されるカード若しくはブレード）であってもよい。
【０２０３】
また、例えば、マスタＷＳＤ２００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、マスタＷＳＤ２００は、ＮｏｄｅＢ又はＢＴＳ（Base  Transceiver  Station）などの他の種類の基地局として実現されてもよい。マスタＷＳＤ２００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、マスタＷＳＤ２００として動作してもよい。
【０２０４】
また、例えば、スレーブＷＳＤ３００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、スレーブＷＳＤ３００は、Ｍ２Ｍ（Machine  To  Machine）通信を行う端末（ＭＴＣ（Machine  Type  Communication）端末ともいう）として実現されてもよい。さらに、スレーブＷＳＤ３００は、これら端末に搭載される無線通信モジュール（例えば、１つのダイで構成される集積回路モジュール）であってもよい。
【０２０５】
＜６．１．ＡＧＬＥ及びＧＬＤＢに関する応用例＞
図２１は、本開示に係る技術が適用され得るサーバ７５０の概略的な構成の一例を示すブロック図である。サーバ７５０は、プロセッサ７５１、メモリ７５２、ストレージ７５３、ネットワークインタフェース７５４及びバス７５６を備える。
【０２０６】
プロセッサ７５１は、例えばＣＰＵ（Central  Processing  Unit）又はＤＳＰ（Digital  Signal  Processor）であってよく、サーバ７５０の各種機能を制御する。メモリ７５２は、ＲＡＭ（Random  Access  Memory）及びＲＯＭ（Read  Only  Memory）を含み、プロセッサ７５１により実行されるプログラム及びデータを記憶する。ストレージ７５３は、半導体メモリ又はハードディスクなどの記憶媒体を含み得る。
【０２０７】
ネットワークインタフェース７５４は、サーバ７５０を有線通信ネットワーク７５５に接続するための有線通信インタフェースである。有線通信ネットワーク７５５は、ＥＰＣ（Evolved  Packet  Core）などのコアネットワークであってもよく、又はインターネットなどのＰＤＮ（Packet  Data  Network）であってもよい。
【０２０８】
バス７５６は、プロセッサ７５１、メモリ７５２、ストレージ７５３及びネットワークインタフェース７５４を互いに接続する。バス７５６は、速度の異なる２つ以上のバス（例えば、高速バス及び低速バス）を含んでもよい。
【０２０９】
図２１に示したサーバ７５０において、図９を参照して説明したコンフィギュレーション選択部１３７及びコンフィギュレーション適用部１３９は、プロセッサ７５１において実装されてもよい。また、図９を参照して説明したチャネル認識部１３２及び選択可能候補決定部１３３は、プロセッサ７５１において実装されてもよい。
【０２１０】
＜６．２．マスタＷＳＤに関する応用例＞
（第１の応用例）
図２２は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２１１】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２２に示したように複数のアンテナ８１０を有し、複数のアンテナ８１０は、例えばｅＮＢ８００が使用する複数の周波数帯域にそれぞれ対応してもよい。なお、図２２にはｅＮＢ８００が複数のアンテナ８１０を有する例を示したが、ｅＮＢ８００は単一のアンテナ８１０を有してもよい。
【０２１２】
基地局装置８２０は、コントローラ８２１、メモリ８２２、ネットワークインタフェース８２３及び無線通信インタフェース８２５を備える。
【０２１３】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２１４】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２１５】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２１６】
無線通信インタフェース８２５は、図２２に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２２に示したように複数のＲＦ回路８２７を含み、複数のＲＦ回路８２７は、例えば複数のアンテナ素子にそれぞれ対応してもよい。なお、図２２には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２１７】
（第２の応用例）
図２３は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２１８】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２３に示したように複数のアンテナ８４０を有し、複数のアンテナ８４０は、例えばｅＮＢ８３０が使用する複数の周波数帯域にそれぞれ対応してもよい。なお、図２３にはｅＮＢ８３０が複数のアンテナ８４０を有する例を示したが、ｅＮＢ８３０は単一のアンテナ８４０を有してもよい。
【０２１９】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２２を参照して説明したコントローラ８２１、メモリ８２２及びネットワークインタフェース８２３と同様のものである。
【０２２０】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２２を参照して説明したＢＢプロセッサ８２６と同様のものである。無線通信インタフェース８５５は、図２３に示したように複数のＢＢプロセッサ８５６を含み、複数のＢＢプロセッサ８５６は、例えばｅＮＢ８３０が使用する複数の周波数帯域にそれぞれ対応してもよい。なお、図２３には無線通信インタフェース８５５が複数のＢＢプロセッサ８５６を含む例を示したが、無線通信インタフェース８５５は単一のＢＢプロセッサ８５６を含んでもよい。
【０２２１】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２２２】
また、ＲＲＨ８６０は、接続インタフェース８６１及び無線通信インタフェース８６３を備える。
【０２２３】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２２４】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２３に示したように複数のＲＦ回路８６４を含み、複数のＲＦ回路８６４は、例えば複数のアンテナ素子にそれぞれ対応してもよい。なお、図２３には無線通信インタフェース８６３が複数のＲＦ回路８６４を含む例を示したが、無線通信インタフェース８６３は単一のＲＦ回路８６４を含んでもよい。
【０２２５】
図２２及び図２３に示したｅＮＢ８００及びｅＮＢ８３０において、図１２を参照して説明したコンフィギュレーション選択部２５３及びコンフィギュレーション適用部２５５は、無線通信インタフェース８２５並びに無線通信インタフェース８５５及び／又は無線通信インタフェース８６３において実装されてもよい。また、これら機能の少なくとも一部は、コントローラ８２１及びコントローラ８５１において実装されてもよい。
【０２２６】
＜６．３．スレーブＷＳＤに関する応用例＞
（第１の応用例）
図２４は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２２７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２２８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２２９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２４に示したように複数のＢＢプロセッサ９１３及び複数のＲＦ回路９１４を含んでもよい。なお、図２４には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２３０】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２３１】
アンテナスイッチ９１５の各々は、無線通信インタフェース９１２に含まれる複数の回路（例えば、異なる無線通信方式のための回路）の間でアンテナ９１６の接続先を切り替える。
【０２３２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２４に示したように複数のアンテナ９１６を有してもよい。なお、図２４にはスマートフォン９００が複数のアンテナ９１６を有する例を示したが、スマートフォン９００は単一のアンテナ９１６を有してもよい。
【０２３３】
さらに、スマートフォン９００は、無線通信方式ごとにアンテナ９１６を備えてもよい。その場合に、アンテナスイッチ９１５は、スマートフォン９００の構成から省略されてもよい。
【０２３４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２４に示したスマートフォン９００の各ブロックへ電力を供給する。補助コントローラ９１９は、例えば、スリープモードにおいて、スマートフォン９００の必要最低限の機能を動作させる。
【０２３５】
図２４に示したスマートフォン９００において、図１３を参照して説明したコンフィギュレーション認識部３４３及び通信制御部３４５は、無線通信インタフェース９１２において実装されてもよい。また、これら機能の少なくとも一部は、プロセッサ９０１又は補助コントローラ９１９において実装されてもよい。
【０２３６】
（第２の応用例）
図２５は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２３７】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２３８】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２３９】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２４０】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２５に示したように複数のＢＢプロセッサ９３４及び複数のＲＦ回路９３５を含んでもよい。なお、図２５には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２４１】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２４２】
アンテナスイッチ９３６の各々は、無線通信インタフェース９３３に含まれる複数の回路（例えば、異なる無線通信方式のための回路）の間でアンテナ９３７の接続先を切り替える。
【０２４３】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２５に示したように複数のアンテナ９３７を有してもよい。なお、図２５にはカーナビゲーション装置９２０が複数のアンテナ９３７を有する例を示したが、カーナビゲーション装置９２０は単一のアンテナ９３７を有してもよい。
【０２４４】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２４５】
バッテリー９３８は、図中に破線で部分的に示した給電ラインを介して、図２５に示したカーナビゲーション装置９２０の各ブロックへ電力を供給する。また、バッテリー９３８は、車両側から給電される電力を蓄積する。
【０２４６】
図２５に示したカーナビゲーション装置９２０において、図１３を参照して説明したコンフィギュレーション認識部３４３及び通信制御部３４５は、無線通信インタフェース９３３において実装されてもよい。また、これら機能の少なくとも一部は、プロセッサ９２１において実装されてもよい。
【０２４７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２４８】
＜＜７．まとめ＞＞
ここまで、図１〜図２０を用いて、本開示の実施形態に係る通信装置及び各処理を説明した。本開示に係る実施形態によれば、
ＴＤＤコンフィギュレーションの複数の候補のうちの、無線通信のためのＴＤＤコンフィギュレーションが選択される。そして、選択されるＴＤＤコンフィギュレーションが無線通信に適用される。また、上記複数の候補は、ダウンリンク専用のＴＤＤコンフィギュレーション及びアップリンク専用のＴＤＤコンフィギュレーションのうちの少なくとも一方を含む。
【０２４９】
これにより、同一の又は近い周波数帯域を利用する送信機及び受信機がある場合であっても、当該受信機を介してより望ましい無線通信を行うことが可能になる。
【０２５０】
また、例えば、上記複数の候補は、ダウンリンク専用のＴＤＤコンフィギュレーションを含む。
【０２５１】
これにより、プライマリチャネル付近の利用可能チャネルであっても、プライマリシステムからの干渉をより抑えることが可能になる。即ち、プライマリチャネル付近の利用可能チャネルであっても、ＳＩＮＲの低下をより抑えることが可能になる。
【０２５２】
また、例えば、上記複数の候補は、アップリンク専用のＴＤＤコンフィギュレーションを含む。
【０２５３】
これにより、プライマリチャネルから離れたセカンダリチャネルの帯域幅が狭い（又は、当該セカンダリチャネルの数が少ない）場合であっても、アップリンク用に多数の無線リソースを確保することができる。そのため、アップリンクのスループットを向上させることが可能になる。
【０２５４】
そして、例えば、上記複数の候補は、ダウンリンク専用のＴＤＤコンフィギュレーション及びアップリンク専用のＴＤＤコンフィギュレーションの両方を含む。
【０２５５】
この場合に、複信方式としてＴＤＤを採用する無線通信システムであっても、一時的に、及び／又は、一部の周波数チャネルにおいて、複信方式としてＦＤＤを採用する場合と同様に無線通信を行うことが可能になる。その結果、プライマリチャネルからの干渉を抑えつつ、アップリンクのスループットを向上させることが可能になる。
【０２５６】
また、例えば、上記２つ以上の周波数チャネルに含まれる個々の周波数チャネルごとに、ＴＤＤコンフィギュレーションの複数の候補のうちの、上記個々の周波数チャネルにおける無線通信に適用するために選択可能な１つ以上の候補（即ち、選択可能候補）が決定される。また、上記１つ以上の選択可能候補は、干渉信号が送信される干渉周波数チャネルと上記個々の周波数チャネルとの周波数方向の距離に関する情報（即ち、距離関連情報）に基づいて決定される。
【０２５７】
これにより、干渉の影響を抑えつつ、スループットを向上させることが可能になる。
【０２５８】
また、例えば、上記１つ以上の選択可能候補は、上記干渉周波数チャネルと上記個々の周波数チャネルとの距離が距離Ｄ１よりも小さい場合に、ダウンリンク専用のＴＤＤコンフィギュレーションである。
【０２５９】
これにより、プライマリチャネル（干渉周波数チャネル）に近い利用可能チャネルでは、ダウンリンクサブフレームだけのＴＤＤコンフィギュレーション（アップリンクサブフレームがないＴＤＤコンフィギュレーション）が選択され、適用される。その結果、当該利用可能チャネルでは、アップリンクの無線通信は行われず、ダウンリンクの無線通信のみが行われる。そのため、当該利用可能チャネルにおける干渉を抑えられる。即ち、当該利用可能チャネルにおけるＳＩＮＲの低下が抑えられる。
【０２６０】
また、例えば、上記１つ以上の選択可能候補は、上記干渉周波数チャネルと上記個々の周波数チャネルとの距離が距離Ｄ２よりも大きい場合に、アップリンク専用のＴＤＤコンフィギュレーションを含む。
【０２６１】
これにより、プライマリチャネル（干渉周波数チャネル）から離れた利用可能チャネルでは、アップリンクサブフレームだけのＴＤＤコンフィギュレーションが選択可能になる。そのため、このようなＴＤＤコンフィギュレーションの選択により、当該利用可能チャネルの帯域幅（又は全ての利用可能チャネルの帯域幅の総和）が狭い場合でも、セカンダリシステムにおけるアップリンクのスループットを向上させることが可能になる。
【０２６２】
また、例えば、上記１つ以上の選択可能候補は、上記干渉周波数チャネルと上記個々の周波数チャネルとの周波数方向における距離がより大きい場合に、アップリンクサブフレームの数がより大きいＴＤＤコンフィギュレーションを含む。
【０２６３】
これにより、利用可能チャネルがプライマリチャネル（干渉周波数チャネル）から離れているほど、当該利用可能チャネルのために、アップリンクサブフレームの数がより大きいＴＤＤコンフィギュレーションが選択可能になる。一方、利用可能チャネルがプライマリチャネル（干渉周波数チャネル）に近いほど、当該利用可能チャネルのために、アップリンクサブフレームの数がより小さいＴＤＤコンフィギュレーションしか選択できなくなる。そのため、このようなＴＤＤコンフィギュレーションの選択により、当該利用可能チャネルにおける干渉を抑えられる。即ち、当該利用可能チャネルにおけるＳＩＮＲの低下が抑えられる。
【０２６４】
以上、添付図面を参照しながら本開示の好適な実施形態を説明したが、本開示は係る例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。
【０２６５】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０２６６】
また、通信制御装置（例えば、ＧＬＤＢ、ＡＧＬＥ、マスタＷＳＤ）及び通信装置（例えば、スレーブＷＳＤ）に内蔵されるＣＰＵ、ＲＯＭ及びＲＡＭ等のハードウェアに、上記通信制御装置及び通信装置の各構成と同等の機能を発揮させるためのコンピュータプログラムも作成可能である。また、当該コンピュータプログラムを記憶させた記憶媒体も提供される。
【０２６７】
なお、以下のような構成も本開示の技術的範囲に属する。
（１）
時分割複信（ＴＤＤ）方式に従った無線通信を制御する通信制御装置であって、
複数のサブフレームを含む無線フレームにおけるサブフレーム単位でのリンク方向を表すリンク方向コンフィギュレーションの複数の候補のうちの、前記無線通信のためのリンク方向コンフィギュレーションを選択する選択部と、
選択される前記リンク方向コンフィギュレーションを前記無線通信に適用する適用部と、
を備え、
前記複数の候補は、ダウンリンク専用のリンク方向コンフィギュレーション、及びアップリンク専用のリンク方向コンフィギュレーションのうちの、少なくとも一方を含む、
通信制御装置。
（２）
前記複数の候補は、前記ダウンリンク専用のリンク方向コンフィギュレーションを含む、前記（１）に記載の通信制御装置。
（３）
前記複数の候補は、前記アップリンク専用のリンク方向コンフィギュレーションを含む、前記（１）又は（２）に記載の通信制御装置。
（４）
前記アップリンク専用のリンク方向コンフィギュレーションは、前記複数のサブフレームのうちの最初のサブフレームの一部又は全体でアップリンク送信が行われないリンク方向コンフィギュレーションを含む、前記（３）に記載の通信制御装置。
（５）
前記選択部は、前記無線通信が２つ以上の周波数チャネルにおいて行われる場合に、当該２つ以上の周波数チャネルに含まれる個々の周波数チャネルごとに、前記複数の候補のうちの、前記個々の周波数チャネルにおける無線通信のためのリンク方向コンフィギュレーションを選択し、
前記適用部は、前記個々の周波数チャネルごとに選択される前記リンク方向コンフィギュレーションを、当該個々の周波数チャネルにおける無線通信に適用する、
前記（１）〜（４）のいずれか１項に記載の通信制御装置。
（６）
前記選択部は、前記複数の候補のうちの１つ以上の選択可能な候補の中から、前記個々の周波数チャネルにおける無線通信のためのリンク方向コンフィギュレーションを選択し、
前記１つ以上の選択可能な候補は、干渉信号が送信される干渉周波数チャネルと前記個々の周波数チャネルとの周波数方向の距離に関する情報に基づいて決定される、
前記（５）に記載の通信制御装置。
（７）
前記１つ以上の選択可能な候補は、前記無線通信に要求されるサービス品質に関する情報にさらに基づいて決定される、前記（６）に記載の通信制御装置。
（８）
前記１つ以上の選択可能な候補は、前記干渉周波数チャネルと前記個々の周波数チャネルとの前記距離が第１の距離よりも小さい場合に、前記ダウンリンク専用のリンク方向コンフィギュレーションである、前記（６）又は（７）に記載の通信制御装置。
（９）
前記１つ以上の選択可能な候補は、前記干渉周波数チャネルと前記個々の周波数チャネルとの前記距離が第２の距離よりも大きい場合に、前記アップリンク専用のリンク方向コンフィギュレーションを含む、前記（６）〜（８）のいずれか１項に記載の通信制御装置。
（１０）
前記１つ以上の選択可能な候補は、前記干渉周波数チャネルと前記個々の周波数チャネルとの前記距離がより大きい場合に、アップリンクサブフレームの数がより大きいリンク方向コンフィギュレーションを含む、前記（６）〜（９）のいずれか１項に記載の通信制御装置。
（１１）
前記２つ以上の周波数チャネルは、干渉信号が送信される干渉周波数チャネルにより近い第１の周波数チャネルと、前記干渉周波数チャネルからより離れた第２の周波数チャネルとを含み、
前記選択部は、前記第１の周波数チャネルにおける無線通信のためのリンク方向コンフィギュレーションとして、ダウンリンクサブフレームの数が第１の数である第１のリンク方向コンフィギュレーションを選択し、前記第２の周波数チャネルにおける無線通信のためのリンク方向コンフィギュレーションとして、ダウンリンクサブフレームの数が前記第１の数よりも小さい第２の数である第２のリンク方向コンフィギュレーションを選択する、
前記（５）〜（１０）のいずれか１項に記載の通信制御装置。
（１２）
前記選択部は、干渉信号が送信される干渉周波数チャネルと前記個々の周波数チャネルとの周波数方向の距離が第３の距離よりも小さい場合に、当該個々の周波数チャネルにおける無線通信のためのリンク方向コンフィギュレーションとして、前記ダウンリンク専用のリンク方向コンフィギュレーションを選択する、前記（５）〜（１１）のいずれか１項に記載の通信制御装置。
（１３）
前記無線通信は、１つ以上の周波数チャネルにおいて行われ、
前記１つ以上の周波数チャネルは、干渉信号が送信される干渉周波数チャネルから周波数方向において第４の距離以上離れた周波数チャネルを含む、
前記（１）〜（１２）のいずれか１項に記載の通信制御装置。
（１４）
前記選択部は、前記無線通信が所定の種類の無線通信である場合に、アップリンクサブフレームの数が所定の数よりも大きいリンク方向コンフィギュレーションを、前記干渉周波数チャネルから前記第４の距離以上離れた前記周波数チャネルのためのリンク方向コンフィギュレーションとして選択する、
前記（１３）に記載の通信制御装置。
（１５）
前記所定の種類の無線通信は、機器間（Ｍａｃｈｉｎｅ  ｔｏ  Ｍａｃｈｉｎｅ）通信である、前記（１４）に記載の通信制御装置。
（１６）
前記無線通信は、プライマリシステムのための周波数チャネルを二次的に利用するセカンダリシステムの無線通信であり、
前記干渉周波数チャネルは、前記セカンダリシステムと異なる別の無線通信システムにおいて用いられる周波数チャネルである、
前記（６）〜（１５）のいずれか１項に記載の通信制御装置。
（１７）
前記無線通信は、マクロセルと一部又は全体で重なるスモールセルにおける無線通信であり、
前記干渉周波数チャネルは、前記マクロセルにおいて用いられる周波数チャネルである、
前記（６）〜（１５）のいずれか１項に記載の通信制御装置。
（１８）
時分割複信（ＴＤＤ）方式に従った無線通信を制御する通信制御方法であって、
複数のサブフレームを含む無線フレームにおけるサブフレーム単位でのリンク方向を表すリンク方向コンフィギュレーションの複数の候補のうちの、前記無線通信のためのリンク方向コンフィギュレーションを選択することと、
選択される前記リンク方向コンフィギュレーションを前記無線通信に適用することと、
を含み、
前記複数の候補は、ダウンリンク専用のリンク方向コンフィギュレーション、及びアップリンク専用のリンク方向コンフィギュレーションのうちの、少なくとも一方を含む、
通信制御方法。
（１９）
時分割複信（ＴＤＤ）方式に従った無線通信が行われる周波数チャネルを認識する認識部と、
前記無線通信が２つ以上の周波数チャネルにおいて行われる場合に、当該２つ以上の周波数チャネルに含まれる個々の周波数チャネルごとに、干渉信号が送信される干渉周波数チャネルと当該個々の周波数チャネルとの周波数方向の距離に関する情報に基づいて、複数のサブフレームを含む無線フレームにおけるサブフレーム単位でのリンク方向を表すリンク方向コンフィギュレーションの複数の候補のうちの、前記個々の周波数チャネルにおける無線通信に適用するために選択可能な１つ以上の候補を決定する決定部と、
を備え、
前記複数の候補は、ダウンリンク専用のリンク方向コンフィギュレーション、及びアップリンク専用のリンク方向コンフィギュレーションのうちの、少なくとも一方を含む、
通信制御装置。
（２０）
時分割複信（ＴＤＤ）方式に従った無線通信を制御する通信装置であって、
複数のサブフレームを含む無線フレームにおけるサブフレーム単位でのリンク方向を表すリンク方向コンフィギュレーションの複数の候補のうちの、前記無線通信に適用されるリンク方向コンフィギュレーションを認識する認識部と、
認識される前記リンク方向コンフィギュレーションに従って前記無線通信を制御する通信制御部と、
を備え、
前記複数の候補は、ダウンリンク専用のリンク方向コンフィギュレーション、及びアップリンク専用のリンク方向コンフィギュレーションのうちの、少なくとも一方を含む、
通信装置。
【符号の説明】
【０２６８】
５０      ＧＬＤＢ（Geo-Location  Database）
６０      境界
１００    ＡＧＬＥ（Advanced  Geo-Location  Engine）
１３２    チャネル認識部
１３３    選択可能候補決定部
１３７    コンフィギュレーション選択部
１３９    コンフィギュレーション適用部
２００    マスタＷＳＤ（White  Space  Devices）
２５３    コンフィギュレーション選択部
２５５    コンフィギュレーション適用部
３００    スレーブＷＳＤ（White  Space  Devices）
３４３    コンフィギュレーション認識部
３４５    通信制御部
【図１】
2014136333.tif 000003
【図２】
2014136333.tif 000004
【図３】
2014136333.tif 000005
【図４】
2014136333.tif 000006
【図５】
2014136333.tif 000007
【図６】
2014136333.tif 000008
【図７】
2014136333.tif 000009
【図８】
2014136333.tif 000010
【図９】
2014136333.tif 000011
【図１０】
2014136333.tif 000012
【図１１】
2014136333.tif 000013
【図１２】
2014136333.tif 000014
【図１３】
2014136333.tif 000015
【図１４】
2014136333.tif 000016
【図１５】
2014136333.tif 000017
【図１６】
2014136333.tif 000018
【図１７】
2014136333.tif 000019
【図１８Ａ】
2014136333.tif 000020
【図１８Ｂ】
2014136333.tif 000021
【図１９】
2014136333.tif 000022
【図２０】
2014136333.tif 000023
【図２１】
2014136333.tif 000024
【図２２】
2014136333.tif 000025
【図２３】
2014136333.tif 000026
【図２４】
2014136333.tif 000027
【図２５】
2014136333.tif 000028
【国際調査報告】
2014136333.tif 000029
2014136333.tif 000030